(57)【要約】【課題】サーバー部の電源ユニットが正常に電力を出力しない場合でも、ＭＦＰ部及びサーバー部の動作を継続できる情報処理装置を提供する。【解決手段】第二検出部２１１ｃは、低圧電源ユニット２１１における故障を検出する。ＤＣ電源分配回路１１２は、低圧電源ユニット２１１において故障が検出された場合、低圧電源ユニット１１１からの出力電力の一部をサーバー部１２へ供給する。スイッチ２１４は、コンセント７２ｂから低圧電源ユニット２１１への電力の供給を、コンセント７２ｂからＭＦＰ部１１への電力の供給に切り替える。制御部１０３は、コンセント７１ｂからの入力電力が定格値を超える場合、ＭＦＰ部１１が有する定着ヒーターへの電力の供給の一部を、コンセント７２ｂからの電力の供給に切り替えるよう制御する。【選択図】図２
2018195142.tif 000002
【特許請求の範囲】
【請求項１】
第１機器及び第２機器からなる情報処理装置において、
前記第１機器は、第１受電部材、第１切替部、第１電源回路、故障検出部、第２切替部及び第１電気的負荷を備え、
前記第２機器は、第２受電部材、第２電源回路、分配部、第３切替部、第２電気的負荷及び制御部を備え、
前記第１切替部は、外部電源に接続されている前記第１受電部材と前記第１電源回路との接続を、前記第２機器の要求により、前記第１受電部材と前記第３切替部との接続に切り替え、
前記第１電源回路は、前記第１切替部により前記第１受電部材に接続されている場合、前記第１受電部材を介して供給された電力を変換して第１出力電力を生成し、
前記故障検出部は、前記第１電源回路における故障を検出し、故障を検出した場合、前記第２機器に対して、故障の検出を通知し、
前記第２切替部は、前記第１電源回路と前記第１電気的負荷との接続を、前記故障が検出された場合、前記分配部と前記第１電気的負荷との接続に切り替え、
前記第１電気的負荷は、前記第１電源回路から前記第１出力電力の供給を受け、前記故障が検出された場合、前記分配部から電力の供給を受け、
前記第２電源回路及び前記第３切替部は、前記第２受電部材及び供給可能な最大の電力を規定する定格値を有する受電経路を介して前記外部電源に接続され、
前記第２電源回路は、供給された電力を変換して第２出力電力を生成し、
前記分配部は、前記故障が通知された場合、前記第２出力電力の一部を前記第２切替部へ供給し、
前記第３切替部は、前記第２受電部材と前記第２電気的負荷との接続を、前記故障が通知された場合、前記第２受電部材と前記第２電気的負荷の一部分との接続、及び、前記第１切替部と前記第２電気的負荷の残りの部分との接続に切り替え、
前記第２電気的負荷は、前記第２受電部材を介して、電力の供給を受け、前記故障が検出された場合、前記第２電気的負荷の前記一部分は、前記第２受電部材を介して、電力の供給を受け、前記第２電気的負荷の前記残りの部分は、前記第１受電部材を介して、電力の供給を受け、
前記制御部は、前記分配部による前記第２切替部への電力の供給により、前記第２受電部材を介して供給される電力が前記定格値を超える場合、前記第１機器に対して、電力の供給を要求する
ことを特徴とする情報処理装置。
【請求項２】
前記第１電源回路において故障が検出された場合、前記制御部は、前記第１電気的負荷における第１消費電力を算出し、算出した前記第１消費電力に基づいて、前記第２受電部材を介して供給される電力が前記定格値を超えるか否かを判断し、判断結果により、前記第１機器に対して、電力の供給を要求するか否かを決定する
ことを特徴とする請求項１に記載の情報処理装置。
【請求項３】
前記第１電源回路において故障が検出された場合、前記制御部は、さらに、前記第２電気的負荷における第２消費電力を算出し、前記第１消費電力と前記第２消費電力とを合計して、前記第２受電部材を介して供給される電力を算出し、算出した前記電力が前記定格値を超えるか否かを判断し、算出した前記電力が前記定格値を超える場合、前記第１機器に対して電力の供給を要求し、前記定格値を超えない場合、前記第１機器に対する電力の供給の要求を抑止する
ことを特徴とする請求項２に記載の情報処理装置。
【請求項４】
前記制御部は、前記第１電源回路において故障が検出された場合、前記第２電源回路により生成された前記第２出力電力の一部を前記第１機器へ供給すると仮定したときに、前記第２受電部材を介して供給されるべき電力が前記定格値を超えるか否かを予測により判断し、
前記分配部は、前記第２受電部材を介して供給されるべき電力が前記定格値を超えると判断されるとき、前記第２受電部材を介して供給される現実の電力が前記定格値を超える前に、前記第２電源回路により生成された前記第２出力電力の一部の前記第１機器への供給を開始する
ことを特徴とする請求項１〜３に記載の情報処理装置。
【請求項５】
前記制御部は、前記第１機器の稼働状況から、前記第１機器における前記第１消費電力を算出する
ことを特徴とする請求項２に記載の情報処理装置。
【請求項６】
前記第１機器は、定期的にデータ処理を行う機能を有するサーバーであって、
前記制御部は、前記第１機器の定期的なデータ処理のタイミングにおいて、その時に必要な前記第１消費電力を算出する
ことを特徴とする請求項５に記載の情報処理装置。
【請求項７】
前記第３切替部による接続の切り替えは、前記第２受電部材を介して供給される電力が前記定格値を超える時点から、前記外部電源から前記第２受電部材までの電力経路に配された遮断器が過電流を遮断すると予測される時点までの間に行われる
ことを特徴とする請求項１〜３に記載の情報処理装置。
【請求項８】
前記制御部は、さらに、前記第１電源回路において故障が検出された場合、前記第２電源回路により生成された前記第２出力電力の一部を前記第１機器へ供給すると仮定したときに、前記第２受電部材を介して供給されるべき電力が前記第２機器の有する電気部品の部品定格を満たすか否かを判断し、判断結果に応じて、前記第２機器が有する前記電気的負荷の消費電力を低減するか否かを判断する
ことを特徴とする請求項１〜７に記載の情報処理装置。
【請求項９】
前記第１電源回路において故障が検出され、前記第２受電部材を介して供給される前記入力電力が前記定格値を超える場合、前記制御部は、前記第２機器の動作態様に応じて、前記第２機器が有する前記電気的負荷の消費電力を低減するか否かを判断する
ことを特徴とする請求項１〜８に記載の情報処理装置。
【請求項１０】
前記第２機器は、第１動作態様及び第２動作態様のいずれかの動作態様で動作し、前記第１動作態様は、前記第２機器が有する前記電気的負荷の消費電力を低減しないと判断される場合の前記動作態様であり、前記第２動作態様は、前記第２機器が有する前記電気的負荷の消費電力を低減すると判断される場合の前記動作態様であり、
前記第１電源回路において故障が検出された場合、前記制御部は、前記第２機器の動作態様が前記第１動作態様であるか前記第２動作態様であるかを判断し、前記第１動作態様である場合、前記第１機器に対して、電力の供給の要求を抑止し、前記第２動作態様である場合、前記第１機器に対して、電力の供給を要求する
ことを特徴とする請求項９に記載の情報処理装置。
【請求項１１】
第１機器及び第２機器からなる情報処理装置において、
前記第１機器は、第１受電部材、コード抜け検出部、第１電源回路、第２切替部及び第１電気的負荷を備え、
前記第２機器は、第２受電部材、第２電源回路、分配部、第２電気的負荷及び制御部を備え、
前記第１電源回路は、外部電源に前記第１受電部材が接続されている場合、前記外部電源から前記第１受電部材を介して供給される電力を変換して第１出力電力を生成し、
前記コード抜け検出部は、前記外部電源に前記第１受電部材が接続されているか否かを判断し、接続されていないことを検出した場合、前記第２機器に対して、接続されていないことを示す非接続を通知し、
前記第２切替部は、前記第１電源回路と前記第１電気的負荷との接続を、前記非接続が検出された場合、前記分配部と前記第１電気的負荷との接続に切り替え、
前記第１電気的負荷は、前記第１出力電力の供給を受け、前記非接続が検出された場合前記第２機器から電力の供給を受け、
前記第２電源回路及び前記第２電気的負荷は、前記第２受電部材及び供給可能な最大の電力を規定する定格値を有する受電経路を介して、前記外部電源に接続され、
前記第２電源回路は、供給された電力を変換して第２出力電力を生成し、
前記分配部は、前記非接続が通知された場合、前記第２電源回路により生成された前記第２出力電力の一部を前記第１機器へ供給し、
前記第２電気的負荷は、前記第２受電部材を介して電力の供給を受け、
前記制御部は、前記分配部による前記第１機器への供給により、前記第２受電部材を介して供給される電力が前記定格値を超える場合、前記第２電気的負荷の消費電力が低減するよう制御する
ことを特徴とする情報処理装置。
【請求項１２】
前記第２機器の動作態様は、前記第２機器が有する前記第２電気的負荷に対して供給可能な電力に応じて、制限的に変更される
ことを特徴とする請求項１〜１１に記載の情報処理装置。
【請求項１３】
前記第１受電部材は、複数の電源コードであり、
前記第２受電部材は、複数の電源コードであり、
前記第１電気的負荷及び前記第２電気的負荷は、それぞれ、前記複数の電源コードにより、前記外部電源に接続され、
前記第１電気的負荷及び前記第２電気的負荷は、それぞれ、前記外部電源に接続される電源コードの本数が変化した場合であっても、少なくとも１本の電源コードを介して電力を供給される
ことを特徴とする請求項１〜１２に記載の情報処理装置。
【請求項１４】
前記制御部は、さらに、前記外部電源に接続されている電源コードの本数に応じて、前記第１電気的負荷及び前記第２電気的負荷に対して、電力を供給するか否かを制御する
ことを特徴とする請求項１３に記載の情報処理装置。
【請求項１５】
前記第２機器は、さらに、
現在の動作状態が正常か、前記第１機器の前記第１電源回路において故障が検出されている状態か、前記第１機器において、前記第１受電部材が前記外部電源と接続されていない状態かを表示する表示手段
を備えることを特徴とする請求項１〜１４に記載の情報処理装置。
【請求項１６】
前記第１機器の第１電源回路には、一定時間、電力出力を保持する機能を有する装置が接続され、又は、前記第１機器の第１電源回路は、一定時間、電力出力を保持する機能を有する
ことを特徴とする請求項１〜１５に記載の情報処理装置。
【請求項１７】
前記第１機器と前記第２機器とは、通信線で接続されており、
前記第１機器と前記第２機器とは、前記通信線を介して、それぞれの動作状態を示す動作状態情報を含む情報を送受信する
ことを特徴とする請求項１〜１６に記載の情報処理装置。
【請求項１８】
前記外部電源は、交流電力を供給し、
前記第１電源回路及び前記第２電源回路は、それぞれ、交流電流を変換して、直流電流を生成し、
前記分配部は、前記第１機器に対して、直流電流を供給し、
前記外部電源から、前記第２受電部材を介して、前記第２機器に対して、交流電流が供給される
ことを特徴とする請求項１〜１０、１２〜１６に記載の情報処理装置。
【請求項１９】
前記外部電源は、交流電力を供給し、
前記第１電源回路及び前記第２電源回路は、それぞれ、交流電流を変換して、直流電流を生成し、
前記分配部は、前記第１機器に対して、直流電流を供給する
ことを特徴とする請求項１１に記載の情報処理装置。
【請求項２０】
前記第１機器は、プリントサーバー、メールサーバー、ＷＥＢサーバー、ＤＨＣＰサーバー又はＤＮＳサーバーであり、又は、ウィルスチェック、システムアップデート、データバックアップ又はシミュレーションの機能を有するサーバーである
ことを特徴とする請求項１〜１９に記載の情報処理装置。
【請求項２１】
前記第２機器は、記録シートに画像を形成する画像形成装置である
ことを特徴とする請求項１〜２０に記載の情報処理装置。
【請求項２２】
前記第２機器は、加熱部材及び加圧部材により、記録シートにトナー像を定着する定着部を有し、前記第２電気的負荷は、前記加熱部材であり、
前記制御部は、前記第１電源回路において故障が検出された場合、前記定着部を用いて記録シートにトナー像を定着する動作態様か否か応じて、前記外部電源から前記第２受電部材を介して電力の供給を受けるか否かを判断する
ことを特徴とする請求項２１に記載の情報処理装置。
【請求項２３】
前記制御部は、画像形成装置である前記第２機器におけるプリント枚数又は各記録シートにおける印字率に応じて、前記第２機器において必要とされる消費電力を算出し、電力が不足する場合、通常の画像形成プロセスの速度及び記録シートの搬送の速度よりも、低い速度で、画像形成プロセス及び記録シートの搬送を行う
ことを特徴とする請求項２１〜２２に記載の情報処理装置。
【請求項２４】
前記第１機器は、サーバー機能を備えるサーバーであり、
前記第２機器は、画像形成装置であり、
前記情報処理装置は、サーバーと画像形成装置とが一体となって構成されている
ことを特徴とする請求項１〜２３に記載の情報処理装置。
【請求項２５】
前記第１機器は、前記電気的負荷を着脱自在に保持する
ことを特徴とする請求項１〜２４に記載の情報処理装置。
【請求項２６】
第１機器及び第２機器からなる情報処理装置において用いられる制御方法であって、
前記第１機器は、第１受電部材、第１切替部、第１電源回路、故障検出部、第２切替部及び第１電気的負荷を備え、前記第２機器は、第２受電部材、第２電源回路、分配部、第３切替部、第２電気的負荷及び制御部を備え、
前記制御方法は、前記第１機器において用いられる第１制御方法及び前記第２機器において用いられる第２制御方法を含み、
前記第１制御方法は、
前記第１切替部により、外部電源に接続されている前記第１受電部材と前記第１電源回路との接続を、前記第２機器の要求により、前記第１受電部材と前記第３切替部との接続に切り替える第１切替ステップと、
前記第１電源回路により、前記第１切替部により前記第１受電部材に接続されている場合、前記第１受電部材を介して供給された電力を変換して第１出力電力を生成する第１出力電力生成ステップと、
前記故障検出部により、前記第１電源回路における故障を検出し、故障を検出した場合前記第２機器に対して、故障の検出を通知する故障検出ステップと、
前記第２切替部により、前記第１電源回路と前記第１電気的負荷との接続を、前記故障が検出された場合、前記分配部と前記第１電気的負荷との接続に切り替える第２切替部ステップとを含み、
前記第１電気的負荷は、前記第１電源回路から前記第１出力電力の供給を受け、前記故障が検出された場合、前記分配部から電力の供給を受け、
前記第２電源回路及び前記第３切替部は、前記第２受電部材及び供給可能な最大の電力を規定する定格値を有する受電経路を介して前記外部電源に接続され、
前記第２制御方法は、
前記第２電源回路により、供給された電力を変換して第２出力電力を生成する第２出力電力生成ステップと、
前記分配部により、前記故障が通知された場合、前記第２出力電力の一部を前記第２切替部へ供給する分配ステップと、
前記第３切替部により、前記第２受電部材と前記第２電気的負荷との接続を、前記故障が通知された場合、前記第２受電部材と前記第２電気的負荷の一部分との接続、及び、前記第１切替部と前記第２電気的負荷の残りの部分との接続に切り替える第３切替ステップとを含み、
前記第２電気的負荷は、前記第２受電部材を介して、電力の供給を受け、前記故障が検出された場合、前記第２電気的負荷の前記一部分は、前記第２受電部材を介して、電力の供給を受け、前記第２電気的負荷の前記残りの部分は、前記第１受電部材を介して、電力の供給を受け、
前記第２制御方法は、さらに、前記制御部により、前記分配部による前記第２切替部への電力の供給により、前記第２受電部材を介して供給される電力が前記定格値を超える場合、前記第１機器に対して、電力の供給を要求する制御ステップを含む
ことを特徴とする制御方法。
【請求項２７】
第１機器及び第２機器からなる情報処理装置において用いられる制御用のコンピュータープログラムであって、
前記第１機器は、第１受電部材、第１切替部、第１電源回路、故障検出部、第２切替部及び第１電気的負荷を備え、前記第２機器は、第２受電部材、第２電源回路、分配部、第３切替部、第２電気的負荷及び制御部を備え、
コンピューターである前記情報処理装置に対して、
外部電源に接続されている前記第１受電部材と前記第１電源回路との接続を、前記第２機器の要求により、前記第１受電部材と前記第３切替部との接続に切り替えるよう制御する第１切替ステップと、
前記第１切替部により前記第１受電部材に接続されている場合、前記第１受電部材を介して供給された電力を変換して第１出力電力を生成するよう制御する第１出力電力生成ステップと、
前記第１電源回路における故障を検出し、故障を検出した場合、前記第２機器に対して故障の検出を通知するよう制御する故障検出ステップと、
前記第１電源回路と前記第１電気的負荷との接続を、前記故障が検出された場合、前記分配部と前記第１電気的負荷との接続に切り替えるよう制御する第２切替ステップと
を実行させ、
前記第１電気的負荷は、前記第１電源回路から前記第１出力電力の供給を受け、前記故障が検出された場合、前記分配部から電力の供給を受け、
前記第２電源回路及び前記第３切替部は、前記第２受電部材及び供給可能な最大の電力を規定する定格値を有する受電経路を介して前記外部電源に接続され、
さらに、
供給された電力を変換して第２出力電力を生成するよう制御する第２出力電力生成ステップと、
前記故障が通知された場合、前記第２出力電力の一部を前記第２切替部へ供給するよう制御する分配ステップと、
前記第２受電部材と前記第２電気的負荷との接続を、前記故障が通知された場合、前記第２受電部材と前記第２電気的負荷の一部分との接続、及び、前記第１切替部と前記第２電気的負荷の残りの部分との接続に切り替えるよう制御する第３切替ステップと
を実行させ、
前記第２電気的負荷は、前記第２受電部材を介して、電力の供給を受け、前記故障が検出された場合、前記第２電気的負荷の前記一部分は、前記第２受電部材を介して、電力の供給を受け、前記第２電気的負荷の前記残りの部分は、前記第１受電部材を介して、電力の供給を受け、
さらに、
前記分配部による前記第２切替部への電力の供給により、前記第２受電部材を介して供給される電力が前記定格値を超える場合、前記第１機器に対して、電力の供給を要求する制御ステップ
を実行させるためのコンピュータープログラム。
【請求項２８】
第１機器及び第２機器からなる情報処理装置において用いられる制御方法であって、
前記第１機器は、第１受電部材、コード抜け検出部、第１電源回路、第２切替部及び第１電気的負荷を備え、前記第２機器は、第２受電部材、第２電源回路、分配部、第２電気的負荷及び制御部を備え、
前記制御方法は、前記第１機器において用いられる第１制御方法及び前記第２機器において用いられる第２制御方法を含み、
前記第１制御方法は、
前記第１電源回路により、外部電源に前記第１受電部材が接続されている場合、前記外部電源から前記第１受電部材を介して供給される電力を変換して第１出力電力を生成する第１出力電力生成ステップと、
前記コード抜け検出部により、前記外部電源に前記第１受電部材が接続されているか否かを判断し、接続されていないことを検出した場合、前記第２機器に対して、接続されていないことを示す非接続を通知するコード抜け検出ステップと、
前記第２切替部により、前記第１電源回路と前記第１電気的負荷との接続を、前記非接続が検出された場合、前記分配部と前記第１電気的負荷との接続に切り替える第２切替ステップと
を含み、
前記第１電気的負荷は、前記第１出力電力の供給を受け、前記非接続が検出された場合前記第２機器から電力の供給を受け、
前記第２電源回路及び前記第２電気的負荷は、前記第２受電部材及び供給可能な最大の電力を規定する定格値を有する受電経路を介して、前記外部電源に接続され、
前記第２制御方法は、
前記第２電源回路により、供給された電力を変換して第２出力電力を生成する第２出力電力生成ステップと、
前記分配部により、前記非接続が通知された場合、前記第２電源回路により生成された前記第２出力電力の一部を前記第１機器へ供給する分配ステップとを含み、
前記第２電気的負荷は、前記第２受電部材を介して電力の供給を受け、
前記第２制御方法は、さらに、前記制御部により、前記分配部による前記第１機器への供給により、前記第２受電部材を介して供給される電力が前記定格値を超える場合、前記第２電気的負荷の消費電力が低減するよう制御する制御ステップ
を含むことを特徴とする制御方法。
【請求項２９】
第１機器及び第２機器からなる情報処理装置において用いられる制御用のコンピュータープログラムであって、
前記第１機器は、第１受電部材、コード抜け検出部、第１電源回路、第２切替部及び第１電気的負荷を備え、前記第２機器は、第２受電部材、第２電源回路、分配部、第２電気的負荷及び制御部を備え、
コンピューターである前記情報処理装置に対して、
外部電源に前記第１受電部材が接続されている場合、前記外部電源から前記第１受電部材を介して供給される電力を変換して第１出力電力を生成するよう制御する第１出力電力生成ステップと、
前記外部電源に前記第１受電部材が接続されているか否かを判断し、接続されていないことを検出した場合、前記第２機器に対して、接続されていないことを示す非接続を通知するよう制御するコード抜け検出ステップと、
前記第１電源回路と前記第１電気的負荷との接続を、前記非接続が検出された場合、前記分配部と前記第１電気的負荷との接続に切り替えるよう制御する第２切替ステップと
を実行させ、
前記第１電気的負荷は、前記第１出力電力の供給を受け、前記非接続が検出された場合前記第２機器から電力の供給を受け、
前記第２電源回路及び前記第２電気的負荷は、前記第２受電部材及び供給可能な最大の電力を規定する定格値を有する受電経路を介して、前記外部電源に接続され、
さらに、
供給された電力を変換して第２出力電力を生成するよう制御する第２出力電力生成ステップと、
前記非接続が通知された場合、前記第２電源回路により生成された前記第２出力電力の一部を前記第１機器へ供給するよう制御する分配ステップと、
を実行させ、
前記第２電気的負荷は、前記第２受電部材を介して電力の供給を受け、
さらに、
前記分配部による前記第１機器への供給により、前記第２受電部材を介して供給される電力が前記定格値を超える場合、前記第２電気的負荷の消費電力が低減するよう制御する制御ステップ
を実行させるためのコンピュータープログラム。
【発明の詳細な説明】
【技術分野】
【０００１】
本発明は、電気的負荷に対して安定的に電力を供給することができる技術に関する。
【背景技術】
【０００２】
電気機器が多数の機能を備えることにより、その分、電力を確保する必要が生じたり、電源ユニットが故障した場合に、確実に稼働させたりするため、電気機器が備える電源ユニットが複数台となる傾向にある。
例えば、様々なサービスを提供するコンピューターシステムであるサーバー装置においては、長時間にわたって、故障することなく稼働し続けることができる信頼性が要求される。このため、一台の電源ユニットが故障した場合であっても、稼働し続けることができるように、サーバー装置は、予備の電源ユニットを備えている。
【０００３】
また、例えば、画像形成装置とサーバー装置とが一体として構成される情報処理装置では、サーバー装置の信頼性を確保するため、サーバー装置用に２台の電源ユニット、画像形成装置用に１台の電源ユニット、合計で３台の電源ユニットを備える。
【先行技術文献】
【特許文献】
【０００４】
【特許文献１】特開２００７−３１６２４５号公報
【特許文献２】特開２００７−０４９８９３号公報
【特許文献３】特開２００８−０７０５６０号公報
【特許文献４】特開２０１２−０４７９３５号公報
【発明の概要】
【発明が解決しようとする課題】
【０００５】
上記のように、例えば、画像形成装置とサーバー装置とが一体として構成される情報処理装置において、サーバー装置用に１台の電源ユニット、画像形成装置用に１台の電源ユニット、合計で２台の電源ユニットを備える構成とし、それぞれの装置において、相手の電源ユニットを予備の電源ユニットとして用いることができれば、情報処理装置全体として、コストダウンを図ることができる。
【０００６】
しかし、この例において、サーバー装置側の電源ユニットが故障した場合、画像形成装置側の電源ユニットからサーバー装置に対して電力を供給することになる。１台の電源ユニットから供給できる電力には、上限（定格値）があるので、画像形成装置及びサーバー装置において必要とされる電力の合計が定格値を超える場合、画像形成装置又はサーバー装置において、電力を制限しなければならず、各装置の動作を継続させることができなくなる場合がある。
【０００７】
本発明は、上記の課題を解決しつつ、一方の機器の電源ユニットが正常に電力を出力しない場合であっても、両方の機器の動作を継続させることができる情報処理装置を提供することを目的とする。
【課題を解決するための手段】
【０００８】
上記目的を達成するため、本発明は、第１機器及び第２機器からなる情報処理装置において、前記第１機器は、第１受電部材、第１切替部、第１電源回路、故障検出部、第２切替部及び第１電気的負荷を備え、前記第２機器は、第２受電部材、第２電源回路、分配部第３切替部、第２電気的負荷及び制御部を備え、前記第１切替部は、外部電源に接続されている前記第１受電部材と前記第１電源回路との接続を、前記第２機器の要求により、前記第１受電部材と前記第３切替部との接続に切り替え、前記第１電源回路は、前記第１切替部により前記第１受電部材に接続されている場合、前記第１受電部材を介して供給された電力を変換して第１出力電力を生成し、前記故障検出部は、前記第１電源回路における故障を検出し、故障を検出した場合、前記第２機器に対して、故障の検出を通知し、前記第２切替部は、前記第１電源回路と前記第１電気的負荷との接続を、前記故障が検出された場合、前記分配部と前記第１電気的負荷との接続に切り替え、前記第１電気的負荷は、前記第１電源回路から前記第１出力電力の供給を受け、前記故障が検出された場合、前記分配部から電力の供給を受け、前記第２電源回路及び前記第３切替部は、前記第２受電部材及び供給可能な最大の電力を規定する定格値を有する受電経路を介して前記外部電源に接続され、前記第２電源回路は、供給された電力を変換して第２出力電力を生成し、前記分配部は、前記故障が通知された場合、前記第２出力電力の一部を前記第２切替部へ供給し、前記第３切替部は、前記第２受電部材と前記第２電気的負荷との接続を、前記故障が通知された場合、前記第２受電部材と前記第２電気的負荷の一部分との接続、及び、前記第１切替部と前記第２電気的負荷の残りの部分との接続に切り替え、前記第２電気的負荷は、前記第２受電部材を介して、電力の供給を受け、前記故障が検出された場合、前記第２電気的負荷の前記一部分は、前記第２受電部材を介して、電力の供給を受け、前記第２電気的負荷の前記残りの部分は、前記第１受電部材を介して、電力の供給を受け、前記制御部は、前記分配部による前記第２切替部への電力の供給により、前記第２受電部材を介して供給される電力が前記定格値を超える場合、前記第１機器に対して、電力の供給を要求することを特徴とする。
【０００９】
ここで、前記第１電源回路において故障が検出された場合、前記制御部は、前記第１電気的負荷における第１消費電力を算出し、算出した前記第１消費電力に基づいて、前記第２受電部材を介して供給される電力が前記定格値を超えるか否かを判断し、判断結果により、前記第１機器に対して、電力の供給を要求するか否かを決定してもよい。
ここで、前記第１電源回路において故障が検出された場合、前記制御部は、さらに、前記第２電気的負荷における第２消費電力を算出し、前記第１消費電力と前記第２消費電力とを合計して、前記第２受電部材を介して供給される電力を算出し、算出した前記電力が前記定格値を超えるか否かを判断し、算出した前記電力が前記定格値を超える場合、前記第１機器に対して電力の供給を要求し、前記定格値を超えない場合、前記第１機器に対する電力の供給の要求を抑止してもよい。
【００１０】
ここで、前記制御部は、前記第１電源回路において故障が検出された場合、前記第２電源回路により生成された前記第２出力電力の一部を前記第１機器へ供給すると仮定したときに、前記第２受電部材を介して供給されるべき電力が前記定格値を超えるか否かを予測により判断し、前記分配部は、前記第２受電部材を介して供給されるべき電力が前記定格値を超えると判断されるとき、前記第２受電部材を介して供給される現実の電力が前記定格値を超える前に、前記第２電源回路により生成された前記第２出力電力の一部の前記第１機器への供給を開始してもよい。
【００１１】
ここで、前記制御部は、前記第１機器の稼働状況から、前記第１機器における前記第１消費電力を算出してもよい。
ここで、前記第１機器は、定期的にデータ処理を行う機能を有するサーバーであって、前記制御部は、前記第１機器の定期的なデータ処理のタイミングにおいて、その時に必要な前記第１消費電力を算出してもよい。
【００１２】
ここで、前記第３切替部による接続の切り替えは、前記第２受電部材を介して供給される電力が前記定格値を超える時点から、前記外部電源から前記第２受電部材までの電力経路に配された遮断器が過電流を遮断すると予測される時点までの間に行われる、としてもよい。
ここで、前記制御部は、さらに、前記第１電源回路において故障が検出された場合、前記第２電源回路により生成された前記第２出力電力の一部を前記第１機器へ供給すると仮定したときに、前記第２受電部材を介して供給されるべき電力が前記第２機器の有する電気部品の部品定格を満たすか否かを判断し、判断結果に応じて、前記第２機器が有する前記電気的負荷の消費電力を低減するか否かを判断してもよい。
【００１３】
ここで、前記第１電源回路において故障が検出され、前記第２受電部材を介して供給される前記入力電力が前記定格値を超える場合、前記制御部は、前記第２機器の動作態様に応じて、前記第２機器が有する前記電気的負荷の消費電力を低減するか否かを判断してもよい。
ここで、前記第２機器は、第１動作態様及び第２動作態様のいずれかの動作態様で動作し、前記第１動作態様は、前記第２機器が有する前記電気的負荷の消費電力を低減しないと判断される場合の前記動作態様であり、前記第２動作態様は、前記第２機器が有する前記電気的負荷の消費電力を低減すると判断される場合の前記動作態様であり、前記第１電源回路において故障が検出された場合、前記制御部は、前記第２機器の動作態様が前記第１動作態様であるか前記第２動作態様であるかを判断し、前記第１動作態様である場合、前記第１機器に対して、電力の供給の要求を抑止し、前記第２動作態様である場合、前記第１機器に対して、電力の供給を要求してもよい。
【００１４】
また、本発明は、第１機器及び第２機器からなる情報処理装置において、前記第１機器は、第１受電部材、コード抜け検出部、第１電源回路、第２切替部及び第１電気的負荷を備え、前記第２機器は、第２受電部材、第２電源回路、分配部、第２電気的負荷及び制御部を備え、前記第１電源回路は、外部電源に前記第１受電部材が接続されている場合、前記外部電源から前記第１受電部材を介して供給される電力を変換して第１出力電力を生成し、前記コード抜け検出部は、前記外部電源に前記第１受電部材が接続されているか否かを判断し、接続されていないことを検出した場合、前記第２機器に対して、接続されていないことを示す非接続を通知し、前記第２切替部は、前記第１電源回路と前記第１電気的負荷との接続を、前記非接続が検出された場合、前記分配部と前記第１電気的負荷との接続に切り替え、前記第１電気的負荷は、前記第１出力電力の供給を受け、前記非接続が検出された場合、前記第２機器から電力の供給を受け、前記第２電源回路及び前記第２電気的負荷は、前記第２受電部材及び供給可能な最大の電力を規定する定格値を有する受電経路を介して、前記外部電源に接続され、前記第２電源回路は、供給された電力を変換して第２出力電力を生成し、前記分配部は、前記非接続が通知された場合、前記第２電源回路により生成された前記第２出力電力の一部を前記第１機器へ供給し、前記第２電気的負荷は、前記第２受電部材を介して電力の供給を受け、前記制御部は、前記分配部による前記第１機器への供給により、前記第２受電部材を介して供給される電力が前記定格値を超える場合、前記第２電気的負荷の消費電力が低減するよう制御することを特徴とする。
【００１５】
ここで、前記第２機器の動作態様は、前記第２機器が有する前記第２電気的負荷に対して供給可能な電力に応じて、制限的に変更される、としてもよい。
ここで、前記第１受電部材は、複数の電源コードであり、前記第２受電部材は、複数の電源コードであり、前記第１電気的負荷及び前記第２電気的負荷は、それぞれ、前記複数の電源コードにより、前記外部電源に接続され、前記第１電気的負荷及び前記第２電気的負荷は、それぞれ、前記外部電源に接続される電源コードの本数が変化した場合であっても、少なくとも１本の電源コードを介して電力を供給される、としてもよい。
【００１６】
ここで、前記制御部は、さらに、前記外部電源に接続されている電源コードの本数に応じて、前記第１電気的負荷及び前記第２電気的負荷に対して、電力を供給するか否かを制御してもよい。
ここで、前記第２機器は、さらに、現在の動作状態が正常か、前記第１機器の前記第１電源回路において故障が検出されている状態か、前記第１機器において、前記第１受電部材が前記外部電源と接続されていない状態かを表示する表示手段を備えるとしてもよい。
【００１７】
ここで、前記第１機器の第１電源回路には、一定時間、電力出力を保持する機能を有する装置が接続され、又は、前記第１機器の第１電源回路は、一定時間、電力出力を保持する機能を有する、としてもよい。
ここで、前記第１機器と前記第２機器とは、通信線で接続されており、前記第１機器と前記第２機器とは、前記通信線を介して、それぞれの動作状態を示す動作状態情報を含む情報を送受信してもよい。
【００１８】
ここで、前記外部電源は、交流電力を供給し、前記第１電源回路及び前記第２電源回路は、それぞれ、交流電流を変換して、直流電流を生成し、前記分配部は、前記第１機器に対して、直流電流を供給し、前記外部電源から、前記第２受電部材を介して、前記第２機器に対して、交流電流が供給される、としてもよい。
ここで、前記外部電源は、交流電力を供給し、前記第１電源回路及び前記第２電源回路は、それぞれ、交流電流を変換して、直流電流を生成し、前記分配部は、前記第１機器に対して、直流電流を供給してもよい。
【００１９】
ここで、前記第１機器は、プリントサーバー、メールサーバー、ＷＥＢサーバー、ＤＨＣＰサーバー又はＤＮＳサーバーであり、又は、ウィルスチェック、システムアップデート、データバックアップ又はシミュレーションの機能を有するサーバーである、としてもよい。
ここで、前記第２機器は、記録シートに画像を形成する画像形成装置である、としてもよい。
【００２０】
ここで、前記第２機器は、加熱部材及び加圧部材により、記録シートにトナー像を定着する定着部を有し、前記第２電気的負荷は、前記加熱部材であり、前記制御部は、前記第１電源回路において故障が検出された場合、前記定着部を用いて、記録シートにトナー像を定着する動作態様か否か応じて、前記外部電源から前記第２受電部材を介して電力の供給を受けるか否かを判断してもよい。
【００２１】
ここで、前記制御部は、画像形成装置である前記第２機器におけるプリント枚数又は各記録シートにおける印字率に応じて、前記第２機器において必要とされる消費電力を算出し、電力が不足する場合、通常の画像形成プロセスの速度及び記録シートの搬送の速度よりも、低い速度で、画像形成プロセス及び記録シートの搬送を行う、としてもよい。
ここで、前記第１機器は、サーバー機能を備えるサーバーであり、前記第２機器は、画像形成装置であり、前記情報処理装置は、サーバーと画像形成装置とが一体となって構成されている、としてもよい。
【００２２】
ここで、前記第１機器は、前記電気的負荷を着脱自在に保持してもよい。
また、本発明は、第１機器及び第２機器からなる情報処理装置において用いられる制御方法であって、前記第１機器は、第１受電部材、第１切替部、第１電源回路、故障検出部第２切替部及び第１電気的負荷を備え、前記第２機器は、第２受電部材、第２電源回路、分配部、第３切替部、第２電気的負荷及び制御部を備え、前記制御方法は、前記第１機器において用いられる第１制御方法及び前記第２機器において用いられる第２制御方法を含み、前記第１制御方法は、前記第１切替部により、外部電源に接続されている前記第１受電部材と前記第１電源回路との接続を、前記第２機器の要求により、前記第１受電部材と前記第３切替部との接続に切り替える第１切替ステップと、前記第１電源回路により、前記第１切替部により前記第１受電部材に接続されている場合、前記第１受電部材を介して供給された電力を変換して第１出力電力を生成する第１出力電力生成ステップと、前記故障検出部により、前記第１電源回路における故障を検出し、故障を検出した場合、前記第２機器に対して、故障の検出を通知する故障検出ステップと、前記第２切替部により、前記第１電源回路と前記第１電気的負荷との接続を、前記故障が検出された場合、前記分配部と前記第１電気的負荷との接続に切り替える第２切替部ステップとを含み、前記第１電気的負荷は、前記第１電源回路から前記第１出力電力の供給を受け、前記故障が検出された場合、前記分配部から電力の供給を受け、前記第２電源回路及び前記第３切替部は、前記第２受電部材及び供給可能な最大の電力を規定する定格値を有する受電経路を介して前記外部電源に接続され、前記第２制御方法は、前記第２電源回路により、供給された電力を変換して第２出力電力を生成する第２出力電力生成ステップと、前記分配部により、前記故障が通知された場合、前記第２出力電力の一部を前記第２切替部へ供給する分配ステップと、前記第３切替部により、前記第２受電部材と前記第２電気的負荷との接続を、前記故障が通知された場合、前記第２受電部材と前記第２電気的負荷の一部分との接続、及び、前記第１切替部と前記第２電気的負荷の残りの部分との接続に切り替える第３切替ステップとを含み、前記第２電気的負荷は、前記第２受電部材を介して、電力の供給を受け前記故障が検出された場合、前記第２電気的負荷の前記一部分は、前記第２受電部材を介して、電力の供給を受け、前記第２電気的負荷の前記残りの部分は、前記第１受電部材を介して、電力の供給を受け、前記第２制御方法は、さらに、前記制御部により、前記分配部による前記第２切替部への電力の供給により、前記第２受電部材を介して供給される電力が前記定格値を超える場合、前記第１機器に対して、電力の供給を要求する制御ステップを含むことを特徴とする。
【００２３】
また、本発明は、第１機器及び第２機器からなる情報処理装置において用いられる制御用のコンピュータープログラムであって、前記第１機器は、第１受電部材、第１切替部、第１電源回路、故障検出部、第２切替部及び第１電気的負荷を備え、前記第２機器は、第２受電部材、第２電源回路、分配部、第３切替部、第２電気的負荷及び制御部を備え、コンピューターである前記情報処理装置に対して、外部電源に接続されている前記第１受電部材と前記第１電源回路との接続を、前記第２機器の要求により、前記第１受電部材と前記第３切替部との接続に切り替えるよう制御する第１切替ステップと、前記第１切替部により前記第１受電部材に接続されている場合、前記第１受電部材を介して供給された電力を変換して第１出力電力を生成するよう制御する第１出力電力生成ステップと、前記第１電源回路における故障を検出し、故障を検出した場合、前記第２機器に対して、故障の検出を通知するよう制御する故障検出ステップと、前記第１電源回路と前記第１電気的負荷との接続を、前記故障が検出された場合、前記分配部と前記第１電気的負荷との接続に切り替えるよう制御する第２切替ステップとを実行させ、前記第１電気的負荷は、前記第１電源回路から前記第１出力電力の供給を受け、前記故障が検出された場合、前記分配部から電力の供給を受け、前記第２電源回路及び前記第３切替部は、前記第２受電部材及び供給可能な最大の電力を規定する定格値を有する受電経路を介して前記外部電源に接続されさらに、供給された電力を変換して第２出力電力を生成するよう制御する第２出力電力生成ステップと、前記故障が通知された場合、前記第２出力電力の一部を前記第２切替部へ供給するよう制御する分配ステップと、前記第２受電部材と前記第２電気的負荷との接続を、前記故障が通知された場合、前記第２受電部材と前記第２電気的負荷の一部分との接続、及び、前記第１切替部と前記第２電気的負荷の残りの部分との接続に切り替えるよう制御する第３切替ステップとを実行させ、前記第２電気的負荷は、前記第２受電部材を介して、電力の供給を受け、前記故障が検出された場合、前記第２電気的負荷の前記一部分は、前記第２受電部材を介して、電力の供給を受け、前記第２電気的負荷の前記残りの部分は、前記第１受電部材を介して、電力の供給を受け、さらに、前記分配部による前記第２切替部への電力の供給により、前記第２受電部材を介して供給される電力が前記定格値を超える場合、前記第１機器に対して、電力の供給を要求する制御ステップを実行させるためのコンピュータープログラムである。
【００２４】
また、本発明は、第１機器及び第２機器からなる情報処理装置において用いられる制御方法であって、前記第１機器は、第１受電部材、コード抜け検出部、第１電源回路、第２切替部及び第１電気的負荷を備え、前記第２機器は、第２受電部材、第２電源回路、分配部、第２電気的負荷及び制御部を備え、前記制御方法は、前記第１機器において用いられる第１制御方法及び前記第２機器において用いられる第２制御方法を含み、前記第１制御方法は、前記第１電源回路により、外部電源に前記第１受電部材が接続されている場合、前記外部電源から前記第１受電部材を介して供給される電力を変換して第１出力電力を生成する第１出力電力生成ステップと、前記コード抜け検出部により、前記外部電源に前記第１受電部材が接続されているか否かを判断し、接続されていないことを検出した場合、前記第２機器に対して、接続されていないことを示す非接続を通知するコード抜け検出ステップと、前記第２切替部により、前記第１電源回路と前記第１電気的負荷との接続を、前記非接続が検出された場合、前記分配部と前記第１電気的負荷との接続に切り替える第２切替ステップとを含み、前記第１電気的負荷は、前記第１出力電力の供給を受け、前記非接続が検出された場合、前記第２機器から電力の供給を受け、前記第２電源回路及び前記第２電気的負荷は、前記第２受電部材及び供給可能な最大の電力を規定する定格値を有する受電経路を介して、前記外部電源に接続され、前記第２制御方法は、前記第２電源回路により、供給された電力を変換して第２出力電力を生成する第２出力電力生成ステップと、前記分配部により、前記非接続が通知された場合、前記第２電源回路により生成された前記第２出力電力の一部を前記第１機器へ供給する分配ステップとを含み、前記第２電気的負荷は、前記第２受電部材を介して電力の供給を受け、前記第２制御方法は、さらに前記制御部により、前記分配部による前記第１機器への供給により、前記第２受電部材を介して供給される電力が前記定格値を超える場合、前記第２電気的負荷の消費電力が低減するよう制御する制御ステップを含むことを特徴とする。
【００２５】
また、本発明は、第１機器及び第２機器からなる情報処理装置において用いられる制御用のコンピュータープログラムであって、前記第１機器は、第１受電部材、コード抜け検出部、第１電源回路、第２切替部及び第１電気的負荷を備え、前記第２機器は、第２受電部材、第２電源回路、分配部、第２電気的負荷及び制御部を備え、コンピューターである前記情報処理装置に対して、外部電源に前記第１受電部材が接続されている場合、前記外部電源から前記第１受電部材を介して供給される電力を変換して第１出力電力を生成するよう制御する第１出力電力生成ステップと、前記外部電源に前記第１受電部材が接続されているか否かを判断し、接続されていないことを検出した場合、前記第２機器に対して、接続されていないことを示す非接続を通知するよう制御するコード抜け検出ステップと、前記第１電源回路と前記第１電気的負荷との接続を、前記非接続が検出された場合、前記分配部と前記第１電気的負荷との接続に切り替えるよう制御する第２切替ステップとを実行させ、前記第１電気的負荷は、前記第１出力電力の供給を受け、前記非接続が検出された場合、前記第２機器から電力の供給を受け、前記第２電源回路及び前記第２電気的負荷は、前記第２受電部材及び供給可能な最大の電力を規定する定格値を有する受電経路を介して、前記外部電源に接続され、さらに、供給された電力を変換して第２出力電力を生成するよう制御する第２出力電力生成ステップと、前記非接続が通知された場合、前記第２電源回路により生成された前記第２出力電力の一部を前記第１機器へ供給するよう制御する分配ステップと、を実行させ、前記第２電気的負荷は、前記第２受電部材を介して電力の供給を受け、さらに、前記分配部による前記第１機器への供給により、前記第２受電部材を介して供給される電力が前記定格値を超える場合、前記第２電気的負荷の消費電力が低減するよう制御する制御ステップを実行させるためのコンピュータープログラムである
【発明の効果】
【００２６】
第一機器の電源ユニットが正常に電力を出力しない場合であっても、第一機器及び第二機器の動作を継続させることができる、という効果を奏する。
【図面の簡単な説明】
【００２７】
【図１】画像形成システム１０の概略構成を示す図である。
【図２】画像形成システム１０における電力系統等に係る詳細の構成を示す図である。
【図３】電力テーブルの一例を示す。
【図４】操作パネルに表示されるメッセージの一例を示す。
【図５】画像形成システム１０の動作の一例を示すシーケンス図である。
【図６】画像形成システム１０の動作の別の例を示すシーケンス図である。
【図７】画像形成システム１０の動作のさらに別の例を示すシーケンス図である。
【図８】冷蔵庫システム１０Ａにおける電力系統等に係る詳細の構成を示す図である。
【発明を実施するための形態】
【００２８】
１  実施の形態
本発明に係る一の実施の形態としての画像形成システム（情報処理装置）１０について図面を参照しながら説明する。
図１は、画像形成システム（情報処理装置）１０の概略構成を示す図である。
この図に示すように、画像形成システム１０は、電子写真方式により記録シートに画像を形成するＭＦＰ（MultiFunction Peripheral）部（第２機器）１１と、様々なサービスを提供するコンピューターシステムであるサーバー部（第１機器）１２とから構成されている。ＭＦＰ部１１及びサーバー部１２は、それぞれ、電気的負荷を有する。
【００２９】
１．１  ＭＦＰ部１１
ＭＦＰ部１１は、スキャナー、プリンター及びコピー機の機能を有するタンデム型のカラー複合機である。
ＭＦＰ部１１は、原稿画像を読み取るイメージリーダー部１３と、読み取った画像を記録シート上にプリントして再現するプリンター部１４と、記録シートを保持し、給送する給紙部１５とから構成されている。
【００３０】
イメージリーダー部１３は、自動原稿搬送装置を有している。自動原稿搬送装置は、原稿トレイにセットされた原稿を１枚ずつ原稿ガラス板へ搬送する。
イメージリーダー部１３は、自動原稿搬送装置によって原稿ガラス板の所定位置に搬送された原稿の画像をスキャナーの移動によって読み取る。スキャナーに設置された露光ランプの照射により得られた原稿画像の反射光をＣＣＤカラーイメージセンサー（以下、単に「ＣＣＤセンサー」という。）で受光し、ＣＣＤセンサーで電気信号に変換した後、さらにＡ／Ｄ変換して、レッド（Ｒ）、グリーン（Ｇ）、ブルー（Ｂ）の多値デジタル信号からなる画像データを得る。
【００３１】
イメージリーダー部１３で得られた各色成分の画像データは、ＭＦＰ制御基板１００において各種のデータ処理を受け、更にイエロー（Ｙ）、マゼンタ（Ｍ）、シアン（Ｃ）、ブラック（Ｋ）の各再現色の画像データに変換される。以下、イエロー、マゼンタ、シアン、ブラックの各再現色をＹ、Ｍ、Ｃ、Ｋと表し、各再現色に関連する構成部分の番号にこのＹ、Ｍ、Ｃ、Ｋを添字として付加する。
【００３２】
Ｙ〜Ｋ色の画像データは、ＭＦＰ制御基板１００が有する画像メモリに再現色ごとに格納され、記録シートの供給と同期して後述するタイミングで走査ラインごとに読み出され対応するＬＥＤアレイの駆動信号となる。
プリンター部１４は、電子写真方式により画像を形成する。プリンター部１４は、中間転写ベルト２０と、中間転写ベルト２０を張架する駆動ローラー、従動ローラー、バックアップローラー、中間転写ベルト２０に対向して中間転写ベルト２０の走行方向Ｘに沿って所定間隔で配置された作像部２８Ｙ、２８Ｍ、２８Ｃ、２８Ｋと、定着部５０とからなる。
【００３３】
作像部２８Ｙ、２８Ｍ、２８Ｃ、２８Ｋは、それぞれ、像担持体である感光体ドラムと感光体ドラム表面を露光走査するためのＬＥＤアレイ、帯電チャージャー、現像器、クリーナー及び一次転写ローラーなどからなる。
給紙部１５は、サイズの異なる記録シートを収容する給紙カセット３８、４０と、この記録シートを各給紙カセットから搬送路に繰り出すためのピックアップローラー４６、４８と、後述する二次転写ローラー５４に記録シートを送り出すタイミングをとるためのレジストローラーなどからなる。
【００３４】
各感光体ドラムは、対応するＬＥＤによる露光を受ける前にクリーナーで表面の残存トナーが除去された後、帯電チャージャーにより一様に帯電されており、このように一様に帯電した状態で上記露光を受けると、感光体ドラムの表面に静電潜像が形成される。
各静電潜像は、それぞれ各色の現像器により現像され、これにより感光体ドラムの表面に各色のトナー像が形成され、感光体ドラムの表面に形成されたトナー像は、中間転写ベルト２０の裏面側に配設された一次転写ローラーの静電作用により、中間転写ベルト２０の表面上に順次転写されていく。
【００３５】
この際、Ｙ〜Ｋ色のトナー像が、走行する中間転写ベルト２０の同じ位置に重ね合わせて転写されるようにすべく、各色の作像動作は、その走行方向上流側から下流側に向けてタイミングをずらして実行される。
一方、給紙部１５からは、作像部２８Ｙ〜２８Ｋによる作像動作に合わせて、いずれかの給紙カセットから記録シートが給送され、二次転写ローラー５４とバックアップローラー２６とが中間転写ベルト２０を挟んで対向する位置（二次転写位置）へと搬送路上を記録シートが搬送される。この二次転写位置で、二次転写ローラー５４の静電的作用により中間転写ベルト２０上のＹ〜Ｋ色のトナー像が記録シートへ二次転写される。
【００３６】
Ｙ〜Ｋ色のトナー像が２次転写された記録シートは、さらに定着部５０に搬送される。定着部５０の加熱ローラー５６は、定着ヒーター（加熱部材、第２電気的負荷）５１、５２又は５３により定着温度まで加熱されている。記録シートが定着部５０を通過する際、加熱ローラー５６及び加圧ローラー（加圧部材）５５による加熱及び加圧により、記録シートの表面のトナー粒子がその表面に融着して定着され、記録シートは、定着部５０を通過した後、搬送ユニット６０へ送出される。
【００３７】
搬送ユニット６０では、水平方向に搬送路が形成されている。搬送ユニット６０は、複数の搬送ローラー対によって、記録シートを排出トレイ６１へ出力する。
ＭＦＰ部１１の上部には、操作パネル７０が設けられている。
ＭＦＰ部１１は、図２に示すように、さらに、低圧電源ユニット（第２電源回路）１１１、ＤＣ電源分配回路（分配部）１１２及び電源系統切替回路（第３切替部）１１３を備えている。ＭＦＰ部１１には、外部の交流電源（商用電源）から、受電経路を経て、外部のコンセント７１ｂ、プラグ（第２受電部材）７１ａ及び電源コード（第２受電部材）７１を介して、電力が供給される。外部の交流電源に接続する受電経路は、供給可能な最大の電力を規定する定格値（例えば、１５００Ｗ）を有する。電源コード７１を介して供給される電力は、電源系統切替回路１１３を介して、定着ヒーター５１、５２に供給される。また、電源コード７１を介して供給される交流電流は、低圧電源ユニット１１１により、直流電流に変換され、ＤＣ電源分配回路１１２を介して、サーバー部１２及びＭＦＰ部１１の各構成要素に供給される。
【００３８】
なお、ＭＦＰ部１１において、電力を消費する電気部品、例えば、定着ヒーター５１、５２又は５３、低圧電源ユニット１１１、ＤＣ電源分配回路１１２、電源系統切替回路１１３、ＭＦＰ制御基板１００、操作パネル７０、モーター、その他の電気回路、露光素子センサーなどは、電気的負荷である。
以下において、低圧電源ユニット１１１、ＤＣ電源分配回路１１２、電源系統切替回路１１３、ＭＦＰ制御基板１００、定着ヒーター５１〜５３及び操作パネル７０について、説明する。
【００３９】
（１）低圧電源ユニット１１１
低圧電源ユニット１１１は、プラグ７１ａ及び電源コード７１を介して、コンセント７１ｂに接続され、コンセント７１ｂから交流の電力の供給を受ける。
低圧電源ユニット１１１は、コンセント７１ｂから供給される交流電流を直流電流に変換する。直流電流は、例えば、５Ｖ（ボルト）の電圧を有する。低圧電源ユニット１１１は、直流電流をＤＣ電源分配回路１１２に供給する。
【００４０】
ここで、コンセント７１ｂと低圧電源ユニット１１１とを接続する電源コード７１に流れる電流を、電源コード７１の定格電流である１５Ａ以下（電源電圧の定格値が１００Ｖ（ボルト）の場合、電力では、１５００Ｗ以下）に抑える必要がある。
（２）ＤＣ電源分配回路１１２
ＤＣ電源分配回路１１２は、低圧電源ユニット１１１から直流の電流の供給を受け、供給された直流電流をＭＦＰ制御基板１００及びＭＦＰ部１１の各部（定着ヒーター５１、５２、５３を除く）に対して供給する。また、ＤＣ電源分配回路１１２は、ＭＦＰ制御基板１００の制御により、低圧電源ユニット１１１から供給された直流電流を、電源コード１１７を介して、サーバー部１２に対して供給する。
【００４１】
（３）電源系統切替回路１１３
電源系統切替回路１１３は、スイッチ１１４、１１５、１１６を備えている。
電源系統切替回路１１３は、プラグ７１ａ及び電源コード７１を介して、コンセント７１ｂに接続され、コンセント７１ｂから交流の電力を供給される。
ＭＦＰ制御基板１００の制御によりスイッチ１１４を切り替えることにより、定着ヒーター５１と電源コード７１との接続／非接続が切り替えられる。また、ＭＦＰ制御基板１００の制御によりスイッチ１１５を切り替えることにより、定着ヒーター５２と電源コード７１との接続／非接続が切り替えられる。さらに、ＭＦＰ制御基板１００の制御によりスイッチ１１６を切り替えることにより、定着ヒーター５３と電源コード１１８との接続／非接続が切り替えられる。ここで、電源コード１１８は、サーバー部１２の後述するスイッチ（第１切替部）２１４に接続されている。
【００４２】
電源系統切替回路１１３は、コンセント７１ｂから、ＭＦＰ部１１のプラグ７１ａ及び電源コード７１を介して供給される交流電流を、ＭＦＰ制御基板１００の制御によりスイッチ１１４及びスイッチ１１５のいずれか一方をオンとすることにより、定着ヒーター５１及び５２のいずれか一方に対して出力する。
また、電源系統切替回路１１３は、コンセント（第１外部電源）７２ｂから、サーバー部１２のプラグ（第１受電部材）７２ａ、電源コード（第１受電部材）７２、スイッチ２１４及び電源コード１１８を介して供給される交流電流を、ＭＦＰ制御基板１００の制御によりスイッチ１１６をオンとすることにより、定着ヒーター５３に対して出力する。
【００４３】
なお、電源系統切替回路１１３は、コンセント７１ｂから供給される交流電流を全波整流し、全波整流した電流を、定着ヒーター５１及び５２のいずれか一方に対して出力してもよい。また、電源系統切替回路１１３は、コンセント７２ｂから供給される交流電流を全波整流し、全波整流した電流を、定着ヒーター５３に対して出力してもよい。また、電源系統切替回路１１３は、加熱ローラー５６の表面温度が、目標温度となるように、定着ヒーター５１、５２、５３の発熱量を制御してもよい。
【００４４】
（４）ＭＦＰ制御基板１００
ＭＦＰ制御基板１００は、判断部１０１、演算部１０２、制御部１０３、通信部１０４及び記憶部１０５から構成されている。
ＭＦＰ制御基板１００は、具体的には、ＣＰＵ、ＲＯＭ、ＲＡＭ、ネットワーク接続カード等から構成されている。ＲＯＭには、制御用のコンピュータープログラムが記憶されＣＰＵが制御用のコンピュータープログラムに従って動作することにより、判断部１０１演算部１０２及び制御部１０３は、それぞれの機能を果たす。また、通信部１０４は、ネットワーク接続カードが動作することにより、その機能を果たす。記憶部１０５は、ＲＯＭ及びＲＡＭから構成される。
【００４５】
通信部１０４は、ＬＡＮケーブル１１９を介して、サーバー部１２と接続され、別のＬＡＮケーブルを介して、外部のネットワークであるＬＡＮに接続されている。
なお、ＭＦＰ制御基板１００は、電気的負荷の一例である。
（ａ）ＭＦＰ制御基板１００における電力制御の概要
ここでは、主として、（ア）サーバー部１２が備える後述する低圧電源ユニット（第１電源回路）２１１が故障している場合において、及び、（イ）サーバー部１２のプラグ７２ａがコンセント７２ｂから抜け、電源コード７２がコンセント７２ｂに接続されていない場合において、画像形成システム１０における電力供給の制御方法の概要について、説明する。
【００４６】
（ア）の場合に、ＭＦＰ部１１の電源コード７１を流れる電流が定格値を超えない制御方法及びＭＦＰ部１１の電源コード７１を流れる電流が一時的に定格値を超える制御方法を採用することができる。
（ｉ）ＭＦＰ部１１の電源コード７１を流れる電流が定格値を超えない制御方法を採用する場合については、次の通りである。
【００４７】
低圧電源ユニット２１１の故障が検出された場合、ＭＦＰ部１１において必要な電力とサーバー部１２において必要な電力を予め算出し、合計の電力が定格値を超える場合にはＭＦＰ部１１の定着ヒーターの一部を消灯した後に、ＭＦＰ部１１からサーバー部１２に対して直流電流を供給する。さらに、ＭＦＰ部１１は、サーバー部１２の電源コード７２から交流電流の供給を受け、定着ヒーターに対する電力供給の一部（消灯した分）を、サーバー部１２の電源コード７２からの交流電流に切り替える。こうして、ＭＦＰ部１１の電源コード７１を流れる電流及びサーバー部１２の電源コード７２を流れる電流の両方について、定格値以内とすることができる。
【００４８】
（ｉｉ）ＭＦＰ部１１の電源コード７１を流れる電流が一時的に定格値を超える制御方法を採用する場合については、次の通りである。
「電気用品の技術上の基準を定める省令」には、漏電遮断器の適合基準が、以下のように定められている（抜粋）。
ａ  定格電流の２００％に等しい電流を通じたとき、次に掲げる動作時間内に自動的に動作すること。
【００４９】
定格電流（Ａ）              動作時間（分）
３０以下                    ２
ｂ  定格電流の１２５％に等しい電流を通じたとき、次に掲げる動作時間内に自動的に動作すること。
定格電流（Ａ）              動作時間（分）
３０以下                    ６０
この適合基準によると、漏電遮断器は、定格電流の１２５％の電流が流れたとき、６０分以内に動作する。また、定格電流の２００％の電流が流れたとき、２分以内に漏電遮断器は動作する。従って、この適合基準によると、サーバー部１２の低圧電源ユニット２１１に故障等が発生し、ＭＦＰ部１１からサーバー部１２に対して電流を供給し、ＭＦＰ部１１の電源コード７１を流れる電流が一時的に定格値（１５Ａ）を超える場合であっても適合基準内である限り、漏電遮断器が動作するという問題は発生しない。
【００５０】
そこで、低圧電源ユニット２１１の故障が検出された場合、最初に、ＭＦＰ部１１からサーバー部１２に対して直流電流を供給する。次に、ＭＦＰ部１１は、ＭＦＰ部１１において必要な電力とサーバー部１２において必要な電力を算出し、合計の電力が定格値を超える場合には、ＭＦＰ部１１は、サーバー部１２の電源コード７２から交流電流の供給を受ける。次に、ＭＦＰ部１１は、定着ヒーターに対する電力供給の一部を、サーバー部１２の電源コード７２からの交流電流に切り替える。こうして、ＭＦＰ部１１の電源コード７１を流れる電流及びサーバー部１２の電源コード７２を流れる電流の両方について、定格値以内とすることができる。
【００５１】
（ｉｉｉ）（イ）の場合に、電源コード７２の抜けが検出されたとき、最初に、ＭＦＰ部１１からサーバー部１２に対して直流電流を供給する。次に、ＭＦＰ部１１は、ＭＦＰ部１１において必要な電力とサーバー部１２において必要な電力を算出し、合計の電力が定格値を超える場合には、ＭＦＰ部１１は、プロセスの速度及び記録シートの搬送速度を半分にし、定着ヒーターに対する電力供給を半分にする。こうして、ＭＦＰ部１１の電源コード７１を流れる電流について、定格値以内とすることができる。
【００５２】
（ｂ）記憶部１０５
記憶部１０５は、電力テーブル３００を記憶している。
電力テーブル３００は、一例として、図３に示すように、複数の電力情報を含み、各電力情報は、動作モード（動作態様）、ＭＦＰ部電力、サーバー部必要電力、合計、電力低減要否及びＭＦＰ部への電力供給要否を含む。
【００５３】
ここで、動作モードは、ＭＦＰ部１１において設定されている動作モードを示す。動作モードには、「スリープ中」、「待機中」、「スキャン to Server」、「スキャン to Copy」及び「Print」等が含まれる。
「スキャン to Server」は、イメージリーダー部１３により読み取った画像データをサーバー部１２へ出力するモードである。「スキャン to Copy」は、イメージリーダー部１３により読み取った画像データを基にして、プリンター部１４により記録シート上に画像を形成して、出力するモードである。「Print」は、外部のＰＣ（パーソナルコンピューター）等から受信したプリントジョブを基にして、プリンター部１４により記録シート上に画像を形成して、出力するモードである。「待機中」は、「スキャン to Server」、「スキャン to Copy」及び「Print」のモードへの移行を待つモードである。「スリープ中」は、「待機中」が所定時間、例えば、５分間、継続した後、ＭＦＰ部１１において消費される電力を節約するための省電力モードである。
【００５４】
ＭＦＰ部電力は、対応する動作モードの場合に、ＭＦＰ部１１において必要とされる消費電力（及び括弧内に電流）を示す。動作モードが「スリープ中」、「待機中」及び「スキャン to Server」の場合には、ＭＦＰ部電力は、低い値（０．５Ｗ（ワット）（０．００５Ａ（アンペア））、１０Ｗ（０．１Ａ）、５０Ｗ（０．５Ａ））である。一方、動作モードが「スキャン to Copy」及び「Print」の場合には、ＭＦＰ部電力は、それぞれ、高い値（１４００Ｗ（１４Ａ））である。
【００５５】
サーバー部必要電力は、対応する動作モードの場合に、サーバー部１２において必要とされる消費電力（及び括弧内に電流）を示す。どの動作モードの場合においても、サーバー部必要電力は、３００Ｗ（３Ａ）である。
ここで、サーバー部必要電力は、固定値であるとしているが、これには限定されない。サーバー部１２に装着されているオプションの回路や機器、又は、サーバー部１２における処理モード等により、サーバー部必要電力は、変動してもよい。このような場合には、サーバー部１２は、変動する電力を把握しており、変動する電力をＭＦＰ部１１の制御部１０３に対して通知する。
【００５６】
合計は、対応する動作モードの場合に、ＭＦＰ部１１において必要とされる消費電力とサーバー部１２において必要とされる消費電力との合計値（ＭＦＰ部１１において必要とされる電流とサーバー部１２において必要とされる電流との合計値）を示す。
電力低減要否は、対応する動作モードの場合に、ＭＦＰ部１１において、消費電力の低減が必要か否かを示す。「不要」は、ＭＦＰ部１１において、消費電力の低減が必要でないことを示し、「必要」は、ＭＦＰ部１１において、消費電力の低減が必要であることを示す。動作モードが「スリープ中」、「待機中」及び「スキャン to Server」の場合には電力低減要否は、「不要」である。一方、動作モードが「スキャン to Copy」及び「Print」の場合には、電力低減要否は、「必要」である。
【００５７】
電力低減要否は、主として、各動作モードにおいて、定着部５０による加熱及び加圧による、記録シートの表面へのトナー粒子の定着が必要であるか否かにより、決定する。定着部５０が備える定着ヒーターによる消費電力が、他の構成要素による消費電力と比較して、大きいからである。
ＭＦＰ部への電力供給要否は、各動作モードにおいて、サーバー部１２からＭＦＰ部１１に対して、電力供給が必要であるか否かを示す。「不要」は、サーバー部１２からＭＦＰ部１１に対して、電力供給が必要でないことを示し、「必要」は、サーバー部１２からＭＦＰ部１１に対して、電力供給が必要であることを示す。動作モードが「スリープ中」「待機中」及び「スキャン to Server」の場合には、ＭＦＰ部への電力供給要否は、「不要」である。一方、動作モードが「スキャン to Copy」及び「Print」の場合には、ＭＦＰ部への電力供給要否は、「必要」である。
【００５８】
ＭＦＰ部への電力供給要否は、電力低減要否と同様に、主として、各動作モードにおいて、定着部５０による加熱及び加圧による、記録シートの表面へのトナー粒子の定着が必要であるか否かにより、決定する。
（ｃ）判断部１０１
判断部１０１は、ＭＦＰ部１１及びサーバー部１２の総電流が１５Ａ以上であるか否かを判断する。
【００５９】
（ｄ）演算部１０２
演算部１０２は、サーバー部１２の低圧電源ユニット２１１に故障が発生したことを示す故障信号又はプラグ７２ａが抜けていることを示すプラグ抜け信号を受信すると、記憶部１０５に記憶されている電力テーブル３００を用いて、ＭＦＰ部１１及びサーバー部１２の総消費電力（総電流）を算出する。
【００６０】
例えば、動作モードが「スリープ中」であれば、演算部１０２は、電力テーブル３００を用いて、ＭＦＰ部１１及びサーバー部１２の総消費電力（総電流）として３００．５Ｗ（３．００５Ａ）を算出する。
また、例えば、動作モードが「Print 」であれば、演算部１０２は、電力テーブル３００を用いて、ＭＦＰ部１１及びサーバー部１２の総消費電力（総電流）として１７００Ｗ（１７Ａ）を算出する。
【００６１】
（ｅ）制御部１０３
（故障信号及びプラグ抜け信号の受信）
制御部１０３は、サーバー部１２から、ＬＡＮケーブル１１９及び通信部１０４を介して、サーバー部１２の低圧電源ユニット２１１に故障が発生したことを示す故障信号及びサーバー部１２のプラグ７２ａが抜けていることを示すプラグ抜け信号を受信する。
【００６２】
（ア）電源コード７１を流れる電流が一時的に１５Ａを超える場合の制御方法において故障信号を受信した場合に、（イ）電源コード７１を流れる電流が１５Ａを超えない場合の制御方法において、故障信号を受信し、ＭＦＰ部１１の消費電力の制限をした後の場合に、又は、（ウ）プラグ抜け信号を受信した場合に、制御部１０３は、ＤＣ電源分配回路１１２に対して、直流電流をサーバー部１２に供給するよう制御する。
【００６３】
（電力供給依頼）
制御部１０３が故障信号を受信し、判断部１０１により、総電流が１５Ａ以上であると判断される場合、制御部１０３は、通信部１０４及びＬＡＮケーブル１１９を介して、サーバー部１２に対して、サーバー部１２からＭＦＰ部１１に対して電力を供給するよう依頼する。
【００６４】
（電力供給開始）
制御部１０３は、サーバー部１２から、ＬＡＮケーブル１１９及び通信部１０４を介して、電源コード７２からＭＦＰ部１１に対して電力の供給を開始したことを示す開始信号を受信する。
（電力制限）
制御部１０３は、次のようにして、ＭＦＰ部１１における消費電力の制限を行う。
【００６５】
（ア）電源コード７１を流れる電流が一時的に１５Ａを超える制御方法の場合
電源コード７１を流れる電流が一時的に１５Ａを超える制御方法の場合、サーバー部１２から電力の供給の開始を示す開始信号を受信すると、制御部１０３は、以下のようにして、ＭＦＰ部１１の電力制限を行う。
制御部１０３は、定着ヒーター５１を消灯するように、スイッチ１１４をＯＦＦとし、定着ヒーター５２を点灯するように、スイッチ１１５をＯＮとする。また、定着ヒーター５３を点灯するように、スイッチ１１６をＯＮとする。定着ヒーター５２は、ＭＦＰ部１１の電源コード７１を介して供給される電流により、点灯する。一方、定着ヒーター５３は、サーバー部１２の電源コード７２を介して供給される電流により、点灯する。
【００６６】
なお、この場合、漏電遮断器が動作する前に、上記の電力制限を完了させる必要があるこのため、電力の供給を開始した後、上記の電力制限が完了するまでの時間を考慮して、電力制限を開始する時刻を設定する必要がある。
（イ）電源コード７１を流れる電流が１５Ａを超えない制御方法の場合
判断部１０１により総電流が１５Ａを超えると判断される場合、制御部１０３は、以下のようにして、ＭＦＰ部１１の電力制限を行う。
【００６７】
制御部１０３は、定着ヒーター５１を消灯するように、スイッチ１１４をＯＦＦとし、定着ヒーター５２を点灯するように、スイッチ１１５をＯＮとする。定着ヒーター５２はＭＦＰ部１１の電源コード７１を介して供給される電流により、点灯する。
また、開始信号を受信すると、制御部１０３は、定着ヒーター５３を点灯するように、スイッチ１１６をＯＮとする。定着ヒーター５３は、サーバー部１２の電源コード７２を介して供給される電流により、点灯する。
【００６８】
（ウ）プラグ７２ａが抜けている場合
プラグ抜け信号を受信した場合、判断部１０１により総電流が１５Ａを超えると判断されたとき、制御部１０３は、以下のようにして、ＭＦＰ部１１の電力制限を行う。
第一に、制御部１０３は、ＭＦＰ部１１の画像形成のプロセスの速度及び記録シートの搬送の速度を、元の速度の半分とする。
【００６９】
第二に、制御部１０３は、定着ヒーター５１を消灯するように、スイッチ１１４をＯＦＦとし、定着ヒーター５２を点灯するように、スイッチ１１５をＯＮとする。また、定着ヒーター５３を消灯するように、スイッチ１１６をＯＦＦとする。定着ヒーター５２は、ＭＦＰ部１１の電源コード７１を介して供給される電流により、点灯する。この場合、定着ヒーターの消費電力は、３００Ｗであり、定着ヒーター５１（６００Ｗ）を点灯する場合と比較すると、消費電力は、半分となる。
【００７０】
このように、ＭＦＰ部１１における画像形成のプロセスの速度及び記録シートの搬送の速度を、元の速度の半分とし、定着ヒーターの消費電力を、元の消費電力の半分としている。このため、定着部５０において、記録シートに加えられる熱量は変わらず、記録シートに対するトナー像の定着性は、維持される。
この場合における動作モードは、「スキャン to Copy」又は「Print」であるが、ＭＦＰ部１１における動作に制限を加えているので、制限モードと呼ぶ。
【００７１】
なお、この場合、漏電遮断器が動作する前に、上記の電力制限を完了させる必要があるこのため、電力の供給を開始した後、上記の電力制限が完了するまでの時間を考慮して、電力制限を開始する時刻を設定する必要がある。
（メッセージの出力）
制御部１０３は、故障信号及びプラグ抜け信号を受信した場合、それぞれ、操作パネル７０に故障メッセージ及びプラグ抜けメッセージを表示するように、制御する。ここで、故障メッセージは、サーバー部１２の低圧電源ユニット２１１が故障していることを示すまた、プラグ抜けメッセージは、サーバー部１２の電源コード７２のプラグ７２ａが抜けていることを示す。
【００７２】
また、制御部１０３は、故障信号、プラグ抜け信号又はその他のエラー信号を受信していない場合には、操作パネル７０に正常メッセージを表示するように、制御する。ここで正常メッセージは、ＭＦＰ部１１及びサーバー部１２の動作が正常であることを示す。なお、故障信号、プラグ抜け信号又はその他のエラー信号を受信していない場合には、操作パネル７０に特別なメッセージを表示しないように、制御してもよい。
【００７３】
（ｆ）通信部１０４
通信部１０４は、サーバー部１２と制御部１０３との間で、情報の送受信を行う。また通信部１０４は、外部の装置と制御部１０３との間で、情報の送受信を行う。
（５）定着ヒーター５１〜５３
定着ヒーター５１、５２、５３は、それぞれ、例えば、ハロゲンヒーターである。定着ヒーター５１、５２、５３の最大の定格電力は、それぞれ、例えば、６００Ｗ、３００Ｗ３００Ｗである。定着ヒーター５１、５２、５３は、それぞれ、加熱ローラー５６の筒状の芯金の内部に設けられている。
【００７４】
定着ヒーター５１、５２、５３は、それぞれ、スイッチ１１４、１１５、１１６に接続されている。
なお、上述したように、定着ヒーター５１、５２、５３は、電気的負荷である。
（６）操作パネル７０
操作パネル７０は、ＭＦＰ部１１の上部に設けられている。操作パネル７０は、液晶表示板及びタッチパッドから構成される。
【００７５】
操作パネル７０は、利用者からの、コピー開始の指示やコピー枚数の設定、複写条件の設定などを受け付け、受け付けた内容をＭＦＰ制御基板１００に伝える。また、操作パネル７０は、利用者によって設定されたコピーモードや各種のメッセージを表示する。表示されるメッセージには、図４に一例として示すように、サーバー部１２の低圧電源ユニットが故障していることを示す故障メッセージ７５が含まれる。また、表示されるメッセージには、サーバー部１２の電源コード７２のプラグ７２ａが抜けていることを示すプラグ抜けメッセージが含まれる。また、表示されるメッセージには、ＭＦＰ部１１及びサーバー部１２の動作が正常であることを示す正常メッセージが含まれる。
【００７６】
１．２  サーバー部１２
サーバー部１２は、様々なサービスを提供するコンピューターシステムである。サーバー部１２は、例えば、プリントサーバー、メールサーバー、ＷＥＢサーバー、ＤＨＣＰ（Dynamic Host Configuration Protocol）サーバー、ＤＮＳ（Domain Name System）サーバー等である。
【００７７】
プリントサーバーは、コンピューターネットワーク上に配置された複数のクライアントコンピューターから、ＭＦＰ部１１をプリンターとして、利用する際に用いられる制御用のコンピューターシステムである。プリントサーバーは、複数のクライアントコンピューターから印刷要求があった場合に、これらの印刷要求を適切に処理して、ＭＦＰ部１１により印刷を実行させる。
【００７８】
メールサーバーは、電子メールを転送し、また、電子メールを受信する機能を有するコンピューターシステムである。
ＷＥＢサーバーは、ＨＴＴＰ（Hypertext Transfer Protocol）に従って、コンピューターネットワークに接続されたクライアントコンピューターのウェブブラウザに対して、ＨＴＭＬやオブジェクト（画像など）の表示を提供するコンピューターシステムである。
【００７９】
ＤＨＣＰサーバーは、クライアントコンピューターに対して、ＩＰアドレス等のネットワーク利用に必要な設定情報を自動的に割り当てるコンピューターシステムである。
ＤＮＳサーバーは、インターネット上のホスト名や電子メールに使われるドメイン名とＩＰアドレスとの対応づけを管理するために使用されるコンピューターシステムである。
サーバー部１２は、上記のサービスの提供の他に、ウィルスチェック、システムアップデート、データバックアップ、各種のシミュレーションのサービスを提供するとしてもよい。
【００８０】
サーバー部１２は、図２に示すように、スイッチ２１４、低圧電源ユニット２１１、電源系統切替回路（第２切替部）２１２、無停電電源装置（UPS：Uninterruptible Power Supply）２１３及び上記のサービスを提供するとともに、サーバー部１２を制御する制御装置（第１電気的負荷）２００を備えている。ここで、サーバー部１２は、制御装置２００を着脱自在に保持するホルダーを備える、としてもよい。
【００８１】
サーバー部１２は、外部の交流電源（商用電源）から、受電経路を経て、外部のコンセント７２ｂ、プラグ７２ａ及び電源コード７２を介して、電力が供給される。外部の交流電源に接続する受電経路は、供給可能な最大の電力を規定する定格値（例えば、１５００Ｗ）を有する。コンセント７２ｂから電源コード７２を介して供給される電力は、スイッチ２１４、低圧電源ユニット２１１、電源系統切替回路２１２及び無停電電源装置２１３を介して、制御装置２００に対して供給される。
【００８２】
なお、サーバー部１２において、電力を消費する電気部品及び電気回路等、例えば、スイッチ２１４、低圧電源ユニット２１１、電源系統切替回路２１２、無停電電源装置２１３及び制御装置２００は、電気的負荷である。
（１）スイッチ２１４
スイッチ２１４は、制御装置２００による制御により、電源コード７２と低圧電源ユニット２１１との接続と、電源コード７２と電源コード１１８との接続とを切り替える。
【００８３】
通常、スイッチ２１４は、制御装置２００による制御により、電源コード７２と低圧電源ユニット２１１とを接続する。ＭＦＰ部１１からの指示があった場合、スイッチ２１４は、制御装置２００による制御により、電源コード７２と電源コード１１８との接続に切り替える。この場合、電源コード７２は、サーバー部１２から切り離され、ＭＦＰ部１１に接続される。
【００８４】
（２）低圧電源ユニット２１１
低圧電源ユニット２１１は、プラグ７２ａ、電源コード７２及びスイッチ２１４を介して、コンセント７２ｂに接続され、コンセント７２ｂから交流の電力の供給を受ける。
低圧電源ユニット２１１は、第一検出部（コード抜け検出部）２１１ａ、変換回路２１１ｂ及び第二検出部（故障検出部）２１１ｃを備えている。
【００８５】
変換回路２１１ｂは、コンセント７２ｂから供給される交流電流を直流電流に変換する直流電流は、例えば、５Ｖ（ボルト）の電圧を有する。変換回路２１１ｂは、直流電流を電源系統切替回路２１２に供給する。
第一検出部２１１ａ及び第二検出部２１１ｃは、それぞれ、通常、変換回路２１１ｂにより変換された直流電流により、動作する。プラグ７２ａ、電源コード７２及びスイッチ２１４を介して交流電流が供給されないとき、又は、低圧電源ユニット２１１の故障により、交流電流が直流電流に変換されないとき、第一検出部２１１ａ及び第二検出部２１１ｃは、それぞれ、無停電電源装置２１３から直流電流の供給を受けて、動作する。
【００８６】
第一検出部２１１ａは、一例として、コンセント７２ｂから、プラグ７２ａ、電源コード７２及びスイッチ２１４を介して、供給される交流電流の電圧を監視する電圧検知回路である。交流電流が供給されていないとき、プラグ７２ａが抜けているとして、プラグ７２ａが抜けていることを示すプラグ抜け信号を制御装置２００に対して送信する。交流電流の変化が所定の範囲内のとき、プラグ７２ａが抜けていないと判断する。
【００８７】
第二検出部２１１ｃは、一例として、変換回路２１１ｂにより交流電流から変換された直流電流の電圧を監視し、直流電流の電圧が所定の範囲内に有るか、直流電流の電圧が所定の閾値より低いかを判断する。直流電流の電圧が所定の範囲内に有るとき、低圧電源ユニット２１１に故障は発生していないと判断する。第一検出部２１１ａによりプラグ７２ａが抜けていないと判断され、かつ、第二検出部２１１ｃにより直流電流の電圧が所定の閾値より低いと判断されるとき、低圧電源ユニット２１１に故障が発生していると判断する。低圧電源ユニット２１１に故障が発生していると判断する場合、低圧電源ユニット２１１に故障が発生していることを示す故障信号を制御装置２００に対して送信する。
【００８８】
ここで、コンセント７２ｂと低圧電源ユニット２１１とを接続する電源コード７２に流れる電流を、電源コード７２の定格電流である１５Ａ以下（電力で１５００Ｗ以下）に抑える必要がある。
（３）電源系統切替回路２１２
電源系統切替回路２１２は、スイッチ２１５、２１６を備えている。スイッチ２１５は制御装置２００の制御により、ＭＦＰ部１１と無停電電源装置２１３との接続／非接続を切り替える。また、スイッチ２１６は、制御装置２００の制御により、低圧電源ユニット２１１と無停電電源装置２１３との接続／非接続を切り替える。
【００８９】
スイッチ２１６がＯＮの場合、低圧電源ユニット２１１から、直流電流が供給される。一方、スイッチ２１６がＯＦＦの場合、低圧電源ユニット２１１から、直流電流が供給されない。
また、スイッチ２１５がＯＮの場合、ＭＦＰ部１１のＤＣ電源分配回路１１２から、直流電流が供給される。一方、スイッチ２１５がＯＦＦの場合、ＭＦＰ部１１から、直流電流が供給されない。
【００９０】
つまり、電源系統切替回路２１２は、制御装置２００の制御によりスイッチ２１５、２１６を切り替えることにより、低圧電源ユニット２１１から供給される直流電流及びＭＦＰ部１１のＤＣ電源分配回路１１２から供給される直流電流のいずれか一方を、無停電電源装置２１３に対して出力する。
（４）無停電電源装置２１３
無停電電源装置２１３は、電源系統切替回路２１２から供給される直流電流の電圧を検知する電圧検知部２１３ａ、及び、電源系統切替回路２１２から供給される直流電流を蓄える電力貯蔵部２１３ｂを備えている。
【００９１】
無停電電源装置２１３は、電源系統切替回路２１２から、正常に、直流電流が供給されている通常時は、つまり、電圧検知部２１３ａにより検知される電圧が所定の範囲内である場合に、供給される直流電流を電力貯蔵部２１３ｂに蓄えるとともに、直流電流を制御装置２００に供給する。
また、無停電電源装置２１３は、電源系統切替回路２１２からの直流電流の供給が停止されたときは、つまり、電圧検知部２１３ａにより検知される電圧が所定の閾値より低い場合に、電源系統切替回路２１２からの直流電流に代えて、電力貯蔵部２１３ｂに蓄積している直流電流を、制御装置２００、電源系統切替回路２１２、低圧電源ユニット２１１及びスイッチ２１４に供給する。従って、電源系統切替回路２１２からの直流電流の供給が停止されたときでも、電力貯蔵部２１３ｂに直流電流が蓄えられている限りは、制御装置２００の稼働を継続することができる。
【００９２】
（５）制御装置２００
制御装置２００は、判断部２０１、演算部２０２、制御部２０３、通信部２０４及び記憶部２０５から構成されている。
制御装置２００は、マザーボードと呼ばれ、具体的には、ＣＰＵ、ＲＯＭ、ＲＡＭ、ハードディスクドライブ（ＨＤＤ）、ソリッドステートドライブ（ＳＳＤ）、ＲＡＩＤ（Redundant Arrays of Inexpensive Disks又はRedundant Arrays of Independent Disks）カード、ネットワーク接続カード等から構成されている。ＲＯＭには、制御用のコンピュータープログラムが記憶され、ＣＰＵが制御用のコンピュータープログラムに従って動作することにより、判断部２０１、演算部２０２、制御部２０３は、それぞれの機能を果たすまた、通信部２０４は、ネットワーク接続カードが動作することにより、その機能を果たす。また、記憶部２０５は、ＲＯＭ及びＲＡＭから構成されている。
【００９３】
通信部２０４は、ＬＡＮケーブル１１９を介して、ＭＦＰ部１１と接続され、別のＬＡＮケーブルを介して、外部のネットワークであるＬＡＮに接続されている。
（ａ）記憶部２０５
記憶部２０５は、サーバー部１２が様々なサービスを提供する際に必要なデータを記憶している。また、記憶部２０５は、サーバー部１２を制御するために必要なデータを記憶している。
【００９４】
（ｂ）判断部２０１及び演算部２０２
判断部２０１及び演算部２０２は、それぞれ、サーバー部１２が様々なサービスを提供する際に必要な判断及び演算を行う。
（ｃ）制御部２０３
第二検出部２１１ｃにより低圧電源ユニット２１１に故障が発生していることが検出された場合、制御部２０３は、通信部２０４及びＬＡＮケーブル１１９を介して、サーバー部１２の低圧電源ユニット２１１に故障が発生したことを示す故障信号をＭＦＰ部１１に対して送信する。また、第一検出部２１１ａにより、プラグ７２ａが抜けていることが検出された場合、制御部２０３は、通信部２０４及びＬＡＮケーブル１１９を介して、プラグ７２ａが抜けていることを示すプラグ抜け信号をＭＦＰ部１１に対して送信する。
【００９５】
また、制御部２０３は、ＭＦＰ部１１から、ＬＡＮケーブル１１９及び通信部２０４を介して、電力を供給する依頼を受信する。電力を供給する依頼を受信すると、制御部２０３は、スイッチ２１４に対して、電源コード７２と低圧電源ユニット２１１との接続から電源コード７２とＭＦＰ部１１との接続に切り替えるように制御する。また、制御部２０３は、通信部２０４及びＬＡＮケーブル１１９を介して、ＭＦＰ部１１に対して、電源コード７２からＭＦＰ部１１に対して電力の供給を開始したことを示す開始信号を送信する。
また、制御部２０３は、サーバー部１２が様々なサービスを提供する際に必要な制御を行う。
【００９６】
（ｄ）通信部２０４
通信部２０４は、ＭＦＰ部１１と、制御部２０３との間で情報の送受信を行う。また、通信部２０４は、外部の装置と、制御部２０３との間で情報の送受信を行う。
１．３  画像形成システム１０の動作
画像形成システム１０の動作について、特に、ＭＦＰ部１１の電源コード７１を流れる電流が一時的に１５Ａを超える場合の制御方法、ＭＦＰ部１１の電源コード７１を流れる電流が１５Ａを超えない場合の制御方法及びサーバー部１２の電源コード７２のプラグ７２ａが抜けている場合の制御方法について、説明する。
【００９７】
（１）一時的に１５Ａを超える場合の制御方法
サーバー部１２の低圧電源ユニット２１１に故障が発生し、ＭＦＰ部１１からサーバー部１２に対する電力供給により、ＭＦＰ部１１の電源コード７１を流れる電流が一時的に１５Ａを超える場合の制御方法について、図５に示すシーケンス図を用いて説明する。
サーバー部１２の低圧電源ユニット２１１の第一検出部２１１ａは、プラグ７２ａが抜けているか否かを監視し、第二検出部２１１ｃは、低圧電源ユニット２１１に故障が発生しているか否かを監視する（ステップＳ１０１）。
【００９８】
第一検出部２１１ａにより、プラグ７２ａが抜けていないと判断され、第二検出部２１１ｃにより、低圧電源ユニット２１１に故障が発生していないと判断される場合（ステップＳ１０２で「正常」）、制御装置２００の制御部２０３は、制御をステップＳ１０１に戻して、処理を繰り返す。
第一検出部２１１ａにより、プラグ７２ａが抜けていないと判断され、第二検出部２１１ｃにより、低圧電源ユニット２１１に故障が発生していると判断される場合（ステップＳ１０２で「故障」）、第二検出部２１１ｃは、低圧電源ユニット２１１に故障が発生したことを示す故障信号を制御装置２００に対して送信する。この場合、無停電電源装置２１３は、自ら、電源系統切替回路２１２から直流電流が正常に供給されていないと判断し電力貯蔵部２１３ｂから直流電流をサーバー部１２の制御装置２００、スイッチ２１４、低圧電源ユニット２１１及び電源系統切替回路２１２に対して供給する（ステップＳ１０３）。電力貯蔵部２１３ｂから直流電流がサーバー部１２の各構成要素に供給される期間は、低圧電源ユニット２１１の故障が発見された時点から、ＭＦＰ部１１からサーバー部１２に対する直流電流の供給が開始されるまでの間である。
【００９９】
制御装置２００の制御部２０３は、通信部２０４及びＬＡＮケーブル１１９を介して、サーバー部１２の低圧電源ユニット２１１に故障が発生したことを示す故障信号をＭＦＰ部１１に対して送信する。ＭＦＰ部１１のＭＦＰ制御基板１００の制御部１０３は、サーバー部１２から、ＬＡＮケーブル１１９及び通信部１０４を介して、故障信号を受信する（ステップＳ１０４）。
【０１００】
故障信号を受信すると、制御部１０３は、ＤＣ電源分配回路１１２に対して、直流電流をサーバー部１２に供給するよう制御し、ＤＣ電源分配回路１１２は、直流電流のサーバー部１２に対する供給を開始する（ステップＳ１０５）。
ＭＦＰ制御基板１００の演算部１０２は、記憶部１０５に記憶されている電力テーブル３００を用いて、ＭＦＰ部１１及びサーバー部１２の総消費電力（総電流）を算出する（ステップＳ１０６）。
【０１０１】
判断部１０１は、総電流が１５Ａ以上であるか否かを判断する（ステップＳ１０７）。総電流が１５Ａ以上でないと判断する場合（ステップＳ１０７で「ＮＯ」）、制御部１０３は、制御をステップＳ１０６に戻し、処理を繰り返す。
総電流が１５Ａ以上であると判断する場合（ステップＳ１０７で「ＹＥＳ」）、制御部１０３は、通信部１０４及びＬＡＮケーブル１１９を介して、サーバー部１２に対して、サーバー部１２からＭＦＰ部１１に対して電力を供給するよう依頼する。制御部２０３はＭＦＰ部１１から、ＬＡＮケーブル１１９及び通信部２０４を介して、電力を供給する依頼を受信する（ステップＳ１０８）。
【０１０２】
電力を供給する依頼を受信すると、制御部２０３は、スイッチ２１４に対して、電源コード７２と低圧電源ユニット２１１との接続から、電源コード７２とＭＦＰ部１１との接続に切り替えるように制御する。スイッチ２１４は、電源コード７２と低圧電源ユニット２１１との接続から、電源コード７２とＭＦＰ部１１との接続に切り替える（ステップＳ１０９）。電源コード７２からＭＦＰ部１１に対して電力の供給が開始される。また、制御部２０３は、通信部２０４及びＬＡＮケーブル１１９を介して、ＭＦＰ部１１に対して電源コード７２からＭＦＰ部１１に対して電力の供給を開始したことを示す開始信号を送信する。制御部１０３は、サーバー部１２から、ＬＡＮケーブル１１９及び通信部１０４を介して、開始信号を受信する（ステップＳ１１０）。
【０１０３】
開始信号を受信すると、制御部１０３は、ＭＦＰ部１１の電力制限を行う。具体的には制御部１０３は、定着ヒーター５１を消灯するように、スイッチ１１４をＯＦＦとし、定着ヒーター５２を点灯するように、スイッチ１１５をＯＮとする。また、定着ヒーター５３を点灯するように、スイッチ１１６をＯＮとする。定着ヒーター５２は、ＭＦＰ部１１の電源コード７１を介して供給される電流により、点灯する。一方、定着ヒーター５３はサーバー部１２の電源コード７２及び電源コード１１８を介して供給される電流により、点灯する（ステップＳ１１１）。
【０１０４】
制御部１０３は、操作パネル７０にサーバー部１２の低圧電源ユニット２１１が故障していることを示す故障メッセージを表示するように、制御する。操作パネル７０は、故障メッセージを表示する（ステップＳ１１２）。
以上で、一時的に１５Ａを超える場合の制御を終了する。
（まとめ）
ここで、例えば、ＭＦＰ部１１の動作モードは、Printであり、図３に示すように、ＭＦＰ部１１において必要な電力は、１４００Ｗであり、サーバー部１２において必要な電力は、３００Ｗであると想定する。
【０１０５】
ステップＳ１０５において、ＭＦＰ部１１からサーバー部１２に対して、電力を供給したとき、ＭＦＰ部１１及びサーバー部１２の総電流が一時的に１７Ａ（１７００Ｗ）となる。このときの総電流は、定格電流１５Ａを超えているが、この総電流（１７Ａ）は、定格電流１５Ａの１２５％以下である。さらに、ステップＳ１１１において、ＭＦＰ部１１において、点灯すべき定着ヒーターを切り替えることにより、ＭＦＰ部１１の電源コード７１から供給される総電力は、３００Ｗ分だけ減少して、１４００Ｗとなり、サーバー部１２の電源コード７２から供給される総電力は、３００Ｗとなる。この結果、ＭＦＰ部１１の電源コード７１及びサーバー部１２の電源コード７２から供給される電力は、ともに定格値を超えることはない。
【０１０６】
また、加熱ローラーに対する加熱量は、定着ヒーター５２による３００Ｗと、定着ヒーター５３による３００Ｗとの合計値６００Ｗであるので、定着ヒーター５１による６００Ｗと同等の加熱量を維持することができる。
（２）１５Ａを超えない場合の制御方法
サーバー部１２の低圧電源ユニット２１１に故障が発生し、ＭＦＰ部１１からサーバー部１２に対する電力供給により、ＭＦＰ部１１の電源コード７１を流れる電流が１５Ａを超えないようにする制御方法について、図６に示すシーケンス図を用いて説明する。
【０１０７】
サーバー部１２の低圧電源ユニット２１１の第一検出部２１１ａは、プラグ７２ａが抜けているか否かを監視し、第二検出部２１１ｃは、低圧電源ユニット２１１に故障が発生しているか否かを監視する（ステップＳ２０１）。
第一検出部２１１ａにより、プラグ７２ａが抜けていないと判断され、第二検出部２１１ｃにより、低圧電源ユニット２１１に故障が発生していないと判断される場合（ステップＳ２０２で「正常」）、制御装置２００の制御部２０３は、制御をステップＳ２０１に戻して、処理を繰り返す。
【０１０８】
第一検出部２１１ａにより、プラグ７２ａが抜けていないと判断され、第二検出部２１１ｃにより、低圧電源ユニット２１１に故障が発生していると判断される場合（ステップＳ２０２で「故障」）、第二検出部２１１ｃは、低圧電源ユニット２１１に故障が発生したことを示す故障信号を制御装置２００に対して送信する。この場合、無停電電源装置２１３は、自ら、電源系統切替回路２１２から直流電流が正常に供給されていないと判断し電力貯蔵部２１３ｂから直流電流をサーバー部１２の制御装置２００、スイッチ２１４、低圧電源ユニット２１１及び電源系統切替回路２１２に対して供給する（ステップＳ２０３）。電力貯蔵部２１３ｂから直流電流がサーバー部１２の各構成要素に供給される期間は、低圧電源ユニット２１１の故障が発見された時点から、ＭＦＰ部１１からサーバー部１２に対する直流電流の供給が開始されるまでの間である。
【０１０９】
制御装置２００の制御部２０３は、通信部２０４及びＬＡＮケーブル１１９を介して、サーバー部１２の低圧電源ユニット２１１に故障が発生したことを示す故障信号をＭＦＰ部１１に対して送信する。ＭＦＰ部１１のＭＦＰ制御基板１００の制御部１０３は、サーバー部１２から、ＬＡＮケーブル１１９及び通信部１０４を介して、故障信号を受信する（ステップＳ２０４）。
【０１１０】
故障信号を受信すると、ＭＦＰ制御基板１００の演算部１０２は、記憶部１０５に記憶されている電力テーブル３００を用いて、ＭＦＰ部１１及びサーバー部１２の総消費電力（総電流）を算出する（ステップＳ２０６）。
判断部１０１は、総電流が１５Ａ以上であるか否かを判断する（ステップＳ２０７）。総電流が１５Ａ以上でないと判断する場合（ステップＳ２０７で「ＮＯ」）、制御部１０３は、制御をステップＳ２０６に戻し、処理を繰り返す。
【０１１１】
総電流が１５Ａ以上であると判断する場合（ステップＳ２０７で「ＹＥＳ」）、制御部１０３は、ＭＦＰ部１１の電力制限を行う。具体的には、制御部１０３は、定着ヒーター５１を消灯するように、スイッチ１１４をＯＦＦとし、定着ヒーター５２を点灯するように、スイッチ１１５をＯＮとする。定着ヒーター５２は、ＭＦＰ部１１の電源コード７１を介して供給される電流により、点灯する（ステップＳ２０８）。
【０１１２】
次に、制御部１０３は、ＤＣ電源分配回路１１２に対して、直流電流をサーバー部１２に供給するよう制御し、ＤＣ電源分配回路１１２は、直流電流のサーバー部１２に対する供給を開始する（ステップＳ２０９）。
次に、制御部１０３は、通信部１０４及びＬＡＮケーブル１１９を介して、サーバー部１２に対して、サーバー部１２からＭＦＰ部１１に対して電力を供給するよう依頼する。制御部２０３は、ＭＦＰ部１１から、ＬＡＮケーブル１１９及び通信部２０４を介して、電力を供給する依頼を受信する（ステップＳ２１０）。
【０１１３】
電力を供給する依頼を受信すると、制御部２０３は、スイッチ２１４に対して、電源コード７２と低圧電源ユニット２１１との接続から、電源コード７２とＭＦＰ部１１との接続に切り替えるように制御する。スイッチ２１４は、電源コード７２と低圧電源ユニット２１１との接続から、電源コード７２とＭＦＰ部１１との接続に切り替える（ステップＳ２１１）。電源コード７２からＭＦＰ部１１に対して電力の供給が開始される。また、制御部２０３は、通信部２０４及びＬＡＮケーブル１１９を介して、ＭＦＰ部１１に対して電源コード７２からＭＦＰ部１１に対して電力の供給を開始したことを示す開始信号を送信する。制御部１０３は、サーバー部１２から、ＬＡＮケーブル１１９及び通信部１０４を介して、開始信号を受信する（ステップＳ２１２）。
【０１１４】
開始信号を受信すると、制御部１０３は、定着ヒーター５３を点灯するように、スイッチ１１６をＯＮとする。定着ヒーター５３は、サーバー部１２の電源コード７２を介して供給される電流により、点灯する（ステップＳ２１３）。
制御部１０３は、操作パネル７０にサーバー部１２の低圧電源ユニット２１１が故障していることを示す故障メッセージを表示するように、制御する。操作パネル７０は、故障メッセージを表示する（ステップＳ２１４）。
【０１１５】
以上で、１５Ａを超えない場合の制御を終了する。
（まとめ）
ここで、例えば、ＭＦＰ部１１の動作モードは、Printであり、図３に示すように、ＭＦＰ部１１において必要な電力は、１４００Ｗであり、サーバー部１２において必要な電力は、３００Ｗであると想定する。
【０１１６】
ステップＳ２０７及びＳ２０８において、ＭＦＰ部１１及びサーバー部１２の総電流が１５Ａ以上である場合、定着ヒーター５１（６００Ｗ）から定着ヒーター５２（３００Ｗ）に切り替えることにより、ＭＦＰ部１１における消費電力を制限している。このとき定着ヒーターについて３００Ｗ分だけ減少するので、電源コード７１から１１００Ｗの電力が供給される。その後、ステップＳ２０９において、サーバー部１２に対して電力を供給する。このとき、サーバー部１２において必要な電力３００Ｗだけ増加して、電源コード７１から供給される電力は、１１００Ｗから１４００Ｗとなる。次に、ステップＳ２１１〜Ｓ２１３において、サーバー部１２の電源コード７２からＭＦＰ部１１に対して電力が供給され、サーバー部１２の電源コード７２から供給される総電力は、３００Ｗとなるこの結果、ＭＦＰ部１１の電源コード７１及びサーバー部１２の電源コード７２から供給される電力は、ともに、定格値を超えることはない。
【０１１７】
また、加熱ローラーに対する加熱量は、定着ヒーター５２による３００Ｗと、定着ヒーター５３による３００Ｗとの合計値６００Ｗであるので、定着ヒーター５１による６００Ｗと同等の加熱量を維持することができる。
（３）サーバー部の電源コードが抜けている場合の制御方法
サーバー部１２の電源コード７２のプラグ７２ａが抜けている場合の制御方法について図７に示すシーケンス図を用いて説明する。
【０１１８】
サーバー部１２の低圧電源ユニット２１１の第一検出部２１１ａは、プラグ７２ａが抜けているか否かを監視し、第二検出部２１１ｃは、低圧電源ユニット２１１に故障が発生しているか否かを監視する（ステップＳ３０１）。
第一検出部２１１ａにより、プラグ７２ａが抜けていないと判断される場合（ステップＳ３０２で「正常」）、制御装置２００の制御部２０３は、制御をステップＳ３０１に戻して、処理を繰り返す。
【０１１９】
第一検出部２１１ａにより、プラグ７２ａが抜けていると判断される場合（ステップＳ３０２で「抜け」）、第一検出部２１１ａは、プラグ７２ａが抜けていることを示すプラグ抜け信号を制御装置２００に対して送信する。この場合、無停電電源装置２１３は、自ら、電源系統切替回路２１２から直流電流が正常に供給されていないと判断し、電力貯蔵部２１３ｂから直流電流をサーバー部１２の制御装置２００、スイッチ２１４、低圧電源ユニット２１１及び電源系統切替回路２１２に対して供給する（ステップＳ３０３）。電力貯蔵部２１３ｂから直流電流がサーバー部１２の各構成要素に供給される期間は、プラグ７２ａが抜けていることが検出された時点から、ＭＦＰ部１１からサーバー部１２に対する直流電流の供給が開始されるまでの間である。
【０１２０】
制御装置２００の制御部２０３は、通信部２０４及びＬＡＮケーブル１１９を介して、プラグ７２ａが抜けていることを示すプラグ抜け信号をＭＦＰ部１１に対して送信する。ＭＦＰ部１１のＭＦＰ制御基板１００の制御部１０３は、サーバー部１２から、ＬＡＮケーブル１１９及び通信部１０４を介して、プラグ抜け信号を受信する（ステップＳ３０４）。
【０１２１】
プラグ抜け信号を受信すると、制御部１０３は、ＤＣ電源分配回路１１２に対して、直流電流をサーバー部１２に供給するよう制御し、ＤＣ電源分配回路１１２は、直流電流のサーバー部１２に対する供給を開始する（ステップＳ３０５）。
ＭＦＰ制御基板１００の演算部１０２は、記憶部１０５に記憶されている電力テーブル３００を用いて、ＭＦＰ部１１及びサーバー部１２の総消費電力（総電流）を算出する（ステップＳ３０６）。
【０１２２】
判断部１０１は、総電流が１５Ａ以上であるか否かを判断する（ステップＳ３０７）。総電流が１５Ａ以上でないと判断する場合（ステップＳ３０７で「ＮＯ」）、制御部１０３は、制御をステップＳ３０６に戻し、処理を繰り返す。
総電流が１５Ａ以上であると判断する場合（ステップＳ３０７で「ＹＥＳ」）、制御部１０３は、ＭＦＰ部１１の電力制限を行う。具体的には、第一に、制御部１０３は、ＭＦＰ部１１の画像形成のプロセスの速度及び搬送の速度を、元の速度の半分とする（ステップＳ３０８）。第二に、制御部１０３は、定着ヒーター５１を消灯するように、スイッチ１１４をＯＦＦとし、定着ヒーター５２を点灯するように、スイッチ１１５をＯＮとするまた、定着ヒーター５３を消灯するように、スイッチ１１６をＯＦＦとする。定着ヒーター５２は、ＭＦＰ部１１の電源コード７１を介して供給される電流により、点灯する（ステップＳ３０９）。
【０１２３】
制御部１０３は、操作パネル７０にサーバー部１２の電源コード７２のプラグ７２ａが抜けていることを示すプラグ抜けメッセージを表示するように、制御する。操作パネル７０は、プラグ抜けメッセージを表示する（ステップＳ３１０）。
以上で、サーバー部１２の電源コード７２のプラグ７２ａが抜けている場合の制御を終了する。
【０１２４】
（まとめ）
ここで、例えば、ＭＦＰ部１１の動作モードは、Printであり、図３に示すように、ＭＦＰ部１１において必要な電力は、１４００Ｗであり、サーバー部１２において必要な電力は、３００Ｗであると想定する。
サーバー部１２の電源コード７２のプラグ７２ａが抜けている場合、ステップＳ３０５において、ＭＦＰ部１１からサーバー部１２に対して、電力を供給する。このとき、電源コード７１から供給される電力は、１７００Ｗである。ＭＦＰ部１１及びサーバー部１２の総電流が１５Ａ以上であるので、ステップＳ３０９において、ＭＦＰ部１１において、点灯すべき定着ヒーターを切り替える。このとき、電源コード７１から供給される総電力は、定着ヒーターの切り替えにより３００Ｗ分だけ減少して、１４００Ｗとなる。この結果、ＭＦＰ部１１の電源コード７１から供給される電力は、ともに、定格値を超えることはない。
【０１２５】
また、加熱ローラーに対する加熱量は、定着ヒーター５２による３００Ｗであるので、定着ヒーター５１による６００Ｗの半分の加熱量を維持している。このとき、ＭＦＰ部１１の画像形成のプロセスの速度及び搬送の速度を、元の速度の半分としているので、トナー像の記録シートへの定着性を維持することができる。
２  実施の形態の補足説明及びその他の変形例
上記の実施の形態について補足的に説明するとともに、その他の変形例について説明する。
【０１２６】
（１）低圧電源ユニット２１１において故障が検出された場合、制御部１０３は、サーバー部１２が有する電気的負荷における第１消費電力を算出し、算出した第１消費電力に基づいて、第２電源コード７１に供給される電力が定格値を越えるか否かを判断し、その判断結果により、サーバー部１２に対して、電力の供給を要求するか否かを判断してもよい。
【０１２７】
低圧電源ユニット２１１において故障が検出された場合、制御部１０３は、さらに、ＭＦＰ部１１が有する電気的負荷における第２消費電力を算出し、第１消費電力と第２消費電力とを合計して、コンセント７１ｂから供給されるべき入力電流を算出し、算出した入力電流が定格値を超えるか否かを判断し、入力電流が前記定格値を超える場合、サーバー部１２に対して電力の供給を要求し、定格値を超えない場合、サーバー部１２に対する電力の供給の要求を抑止してもよい。
【０１２８】
制御部１０３は、低圧電源ユニット２１１において故障が検出された場合、ＤＣ電源分配回路１１２からの出力電力の一部をサーバー部１２へ供給すると仮定したときに、ＭＦＰ部１１のコンセント７１ｂから供給されるべき入力電力が定格値を超えるか否かを予測により判断してもよい。この場合、ＤＣ電源分配回路１１２は、コンセント７１ｂからの入力電力が定格値を超えると判断されるとき、コンセント７１ｂから供給される現実の入力電力が定格値を超える前に、出力電力の一部のサーバー部１２への供給を開始してもよい。
【０１２９】
ＭＦＰ部１１の電源コード７１を流れる電流が一時的に定格値（１５Ａ）を超える場合であっても、漏電遮断器の適合基準内である限り、漏電遮断器が動作するという問題は発生しないからである。
（２）制御部１０３は、サーバー部１２の稼働状況から、サーバー部１２に必要な第１消費電力を算出してもよい。
【０１３０】
また、サーバー部１２は、定期的に、例えば、１日に一回、データ処理を行う機能を有するサーバーである、としてもよい。制御部１０３は、サーバー部１２の定期的なデータ処理のタイミングにおいて、その時にサーバー部１２において必要な第１消費電力を算出する。
（３）電源系統切替回路１１３により、ＭＦＰ部１１が有する電気的負荷である定着ヒーターへの電力の供給の一部を、コンセント７２ｂからの電力の供給に切り替える場合、この切り替えは、コンセント７１ｂからの入力電力が定格値を超える時点から、コンセント７１ｂまでの電力経路に配された遮断器が過電流を遮断すると予測される時点までの間に行われるとしてもよい。
【０１３１】
（４）低圧電源ユニット２１１において故障が検出された場合、コンセント７１ｂから供給される入力電力がＭＦＰ部１１の有する電気部品（例えば、電源ケーブルやコネクタ）の部品定格を満たすか否かに応じて、ＭＦＰ部１１が有する電気的負荷の消費電力を低減するか否かを判断してもよい。
また、低圧電源ユニット２１１において故障が検出された場合、制御部１０３は、サーバー部１２が有する電気的負荷（例えば、制御装置２００）における消費電力と、ＭＦＰ部１１が有する電気的負荷（例えば、定着ヒーター５１、５２、５３）において、ＭＦＰ部１１の動作態様（例えば、「スリープ中」、「待機中」、「スキャン to Server」、「スキャン to Copy」及び「Print」等の動作モード）に応じて定まる第２消費電力とを合計して得られた総消費電力が定格値を超える場合、ＭＦＰ部１１の動作態様に応じて、ＭＦＰ部１１が有する電気的負荷の消費電力を低減する（例えば、６００Ｗの定着ヒーター５１を消灯し、３００Ｗの定着ヒーター５２を点灯する）か否かを判断してもよい。
【０１３２】
（５）ＭＦＰ部１１は、第１動作態様及び第２動作態様のいずれかの動作態様で動作してもよい。第１動作態様は、ＭＦＰ部１１が有する電気的負荷（例えば、定着ヒーター５１、５２、５３）の消費電力を低減しないと判断される場合の動作態様（例えば、「スリープ中」、「待機中」及び「スキャン to Server」等の動作モード）である。第２動作態様は、ＭＦＰ部１１が有する電気的負荷の消費電力を低減すると判断される場合の動作態様（例えば、「スキャン to Copy」及び「Print」等の動作モード）である。
【０１３３】
低圧電源ユニット２１１において故障が検出された場合、制御部１０３は、ＭＦＰ部１１の動作態様が第１動作態様であるか第２動作態様であるかを判断してもよい。第１動作態様である場合、制御部１０３は、サーバー部１２に対して、電力の供給の要求を抑止する。一方、制御部１０３は、第２動作態様である場合、サーバー部１２に対して、電力の供給を要求する。
【０１３４】
（６）低圧電源ユニット２１１から正常に電力が供給されず、ＭＦＰ部１１からサーバー部１２に対して電力を供給することにより、ＭＦＰ部１１及びサーバー部１２における総消費電力が定格値を超える場合、例えば、ＭＦＰ部１１は、定着ヒーターに供給する電力を低減することができる。
このような場合、ＭＦＰ部１１における画像形成のプロセスの速度及び記録シートの搬送の速度を、元の速度の半分とし、定着ヒーターの消費電力を、元の消費電力の半分としてもよい。この場合、定着部５０において、記録シートに加えられる熱量は変わらず、記録シートに対するトナー像の定着性は、維持される。
【０１３５】
こうして、ＭＦＰ部１１の動作モードは、ＭＦＰ部１１の電気的負荷に対して供給可能な電力に応じて、制限的に変更される。ここで、動作モードは、ＭＦＰ部１１における画像形成のプロセスの通常の速度及び記録シートの搬送の通常の速度により、動作するモード、及び、通常の半分の速度（画像形成のプロセスの半分の速度及び記録シートの搬送の半分の速度）により動作するモードである。
【０１３６】
（７）ＭＦＰ部１１は、複数の電源コード（第２受電部材）を備え、サーバー部１２も複数の電源コード（第１受電部材）を備えるとしてもよい。ＭＦＰ部１１が備える電気的負荷（例えば、定着ヒーター５１、５２）は、複数の電源コードにより、コンセント７１ｂに接続され、サーバー部１２が備える電気的負荷（例えば、制御装置２００）も、複数の電源コードにより、コンセント７２ｂに接続されているとしてもよい。ＭＦＰ部１１及びサーバー部１２が備える各電気的負荷は、各コンセントに接続される電源コードの本数が変化した場合であっても、つまり、複数の電源コードの一部がコンセントから抜けている状態であっても、少なくとも１本の電源コードを介して電力を供給される。
【０１３７】
ここで、制御部１０３は、コンセント７１ｂ及び７２ｂに接続されている電源コードの本数に応じて、ＭＦＰ部１１及びサーバー部１２がそれぞれ備える電気的負荷に対して、電力を供給するか否かを制御してもよい。
例えば、ＭＦＰ部１１が備える電気的負荷について、２本の電源コードがコンセントに接続されており、ＭＦＰ部１１が備える電気的負荷の消費電力が１５００Ｗを超えて、例えば、２０００Ｗである場合、２本の電源コードにより１０００Ｗずつ、ＭＦＰ部１１が備える電気的負荷に対する電力供給を継続して行う、としてもよい。
【０１３８】
一方、ＭＦＰ部１１が備える電気的負荷について、１本のみの電源コードがコンセントに接続されており、ＭＦＰ部１１が備える電気的負荷の消費電力が１５００Ｗを超え、例えば、２０００Ｗである場合、１本の電源コードによる、ＭＦＰ部１１が備える電気的負荷に対する電力供給を停止し、又は、ＭＦＰ部１１が備える電気的負荷における消費電力を１５００Ｗ以下となるようにする。また、この場合、サーバー部１２が備える電気的負荷について、少なくとも１本のみの電源コードがコンセントに接続されており、サーバー部１２の電源コードを介して、ＭＦＰ部１１が備える電気的負荷が電力供給を受けることができるならば、それぞれの電源コードの電力が１５００Ｗ以下となるように、ＭＦＰ部１１が備える電気的負荷及びサーバー部１２が備える電気的負荷に対して、電力を供給してもよい。
【０１３９】
（８）実施の形態において説明したように、サーバー部１２の低圧電源ユニット２１１には、低圧電源ユニット２１１が正常に直流電流を出力しない場合に、一定時間、電力出力を保持する機能を有する無停電電源装置２１３が接続されている。ここで、無停電電源装置２１３が接続される代わりに、低圧電源ユニット２１１は、正常に直流電流を出力しない場合に、一定時間、電力出力を保持する機能を有するとしてもよい。
【０１４０】
（９）実施の形態において説明したように、サーバー部１２とＭＦＰ部１１とは、通信線（ＬＡＮケーブル１１９）で接続されている。サーバー部１２とＭＦＰ部１１とは、通信線を介して、それぞれの動作状態を示す動作状態情報を含む情報を送受信してもよい。
（１０）実施の形態において説明したように、コンセント７１ｂ及びコンセント７２ｂは、それぞれ、交流電力を供給する。低圧電源ユニット１１１及び低圧電源ユニット２１１は、それぞれ、コンセント７１ｂ及びコンセント７２ｂから、交流電力を供給される。低圧電源ユニット１１１及び低圧電源ユニット２１１は、それぞれ、交流電流を変換して直流電流を生成する。
【０１４１】
低圧電源ユニット２１１に故障が発生した場合には、ＤＣ電源分配回路１１２は、制御部１０３の制御により、サーバー部１２に対して、直流電流を供給する。一方、コンセント７２ｂからＭＦＰ部１１に対して、交流電流が供給される。
また、電源コード７２がコンセント７２ｂから抜けている場合には、ＤＣ電源分配回路１１２は、制御部１０３の制御により、サーバー部１２に対して、直流電流を供給する。
【０１４２】
（１１）実施の形態において説明したように、ＭＦＰ部１１は、加熱ローラー５６及び加圧ローラー５５による加熱及び加圧により、記録シートにトナー像を定着する定着部５０を有する。加熱ローラー５６は、ＭＦＰ部１１における電気的負荷である。
制御部１０３は、サーバー部１２の低圧電源ユニット２１１において故障が検出された場合、定着部５０を用いて、記録シートにトナー像を定着する動作態様（例えば、動作モード「スキャン to Copy」又は「Print」）か否か応じて、コンセント７２ｂからＭＦＰ部１１へ電力を供給するか否かを判断してもよい。ここで、制御部１０３は、記録シートにトナー像を定着する動作態様の場合、コンセント７２ｂからＭＦＰ部１１へ電力を供給すると判断する。制御部１０３は、記録シートにトナー像を定着する動作態様でない場合コンセント７２ｂからＭＦＰ部１１へ電力を供給しないと判断する。
【０１４３】
（１２）演算部１０２は、ＭＦＰ部１１におけるプリント枚数又は各記録シートにおける印字率に応じて、ＭＦＰ部１１において必要とされる電力を算出してもよい。判断部１０１は、電力が不足する否かを判断し、電力が不足する場合、制御部１０３は、通常の画像形成プロセスの速度及び記録シートの搬送の速度よりも、低い速度で、画像形成プロセス及び記録シートの搬送を行うとしてもよい。
【０１４４】
（１３）上記の「発明が解決しようとする課題」において指摘した課題は、画像形成装置とサーバー装置とを一体化させた機器に限ったことではない。例えば、画像形成装置と後処理装置や給紙装置などの他のユニットとからなるシステム（機器）においても生じる。
上記の実施の形態において説明したように、画像形成システム１０は、サーバー部１２とＭＦＰ部１１とを一体化させた機器であるが、画像形成装置と後処理装置や給紙装置などの他のユニットとからなるシステムにおいて、生じる上記の課題を解決するため、画像形成システムは、サーバー部１２に代えて、他のユニットを備えるとしてもよい。ここで他のユニットは、例えば、後処理装置や給紙装置である。つまり、画像形成システムは、画像形成装置及び他のユニットから構成される。
【０１４５】
画像形成装置は、電源コード及びプラグにより、外部の第１のコンセントに接続され、イメージリーダー部、プリンター部、給紙部、スイッチ、低圧電源ユニット、電源系統切替回路及び無停電電源装置等を備える。ここで、スイッチ、低圧電源ユニット、電源系統切替回路及び無停電電源装置は、それぞれ、サーバー部１２が備えるスイッチ２１４、低圧電源ユニット２１１、電源系統切替回路２１２及び無停電電源装置２１３と同じ構成である。
【０１４６】
また、他のユニットは、電源コード及びプラグにより、外部の第２のコンセントに接続され、後処理等を行う後処理部、低圧電源ユニット、ＤＣ電源分配回路、電源系統切替回路等を備える。ここで、低圧電源ユニット、ＤＣ電源分配回路、電源系統切替回路は、ＭＦＰ部１１が備える低圧電源ユニット１１１、ＤＣ電源分配回路１１２、電源系統切替回路１１３と同じ構成である。
【０１４７】
画像形成装置及び他のユニットは、それぞれ、それぞれ電気的負荷を有する。
画像形成装置が有する低圧電源ユニットに故障が発生したとき、又は、画像形成装置が有する電源コードがコンセントに接続されていないとき、画像形成装置と他のユニットからなる画像形成システムは、上記の実施の形態の画像形成システム１０と同様に動作する。
画像形成装置が有する低圧電源ユニットに故障が発生したとき、他のユニットは、直流電流を画像形成装置に対して供給する。他のユニット側の外部の第２のコンセントから供給される電流が定格値を超える場合、他のユニットは、画像形成装置側の外部の第１のコンセントから電流の供給を受ける。他のユニットは、他のユニットが有する電気的負荷への電力の供給の一部を、画像形成装置側の外部の第１のコンセントからの電力の供給に切り替える。
【０１４８】
画像形成装置が有する電源コードがコンセントに接続されていないとき、他のユニットは、直流電流及び交流電流を画像形成装置に対して供給する。他のユニット側のコンセントから供給される電流が定格値を超える場合、他のユニットは、他のユニットが有する電気的負荷の消費電力を制限するように制御する。
この構成により、上記の課題を解決することができる。
【０１４９】
（１４）上記の実施の形態において、ＭＦＰ部１１のＭＦＰ制御基板１００において、電力テーブルを記憶し、ＭＦＰ部１１及びサーバー部１２における総電力を算出し、総電力が１５Ａを超えるか否かを判断している。しかし、この構成には、限定されない。
サーバー部１２の制御装置２００が電力テーブルを記憶し、制御装置２００がＭＦＰ部１１及びサーバー部１２における総電力を算出し、総電力が１５Ａを超えるか否かを判断してもよい。サーバー部１２は、ＭＦＰ部１１に対して、直流電流の供給を依頼し、サーバー部１２は、ＭＦＰ部１１から直流電流の供給を受ける。また、サーバー部１２は、ＭＦＰ部１１に対して、交流電流を供給する。
【０１５０】
（１５）上記の実施の形態において、次のようにして、ＭＦＰ部１１の電力制限を行っている。
電源コード７１を流れる電流が一時的に１５Ａを超える制御方法の場合、又は、電源コード７１を流れる電流が１５Ａを超えない制御方法の場合、制御部１０３は、定着ヒーター５１を消灯し、定着ヒーター５２及び定着ヒーター５３を点灯する。定着ヒーター５２は、コンセント７１ｂから、ＭＦＰ部１１の電源コード７１を介して供給される電流により、点灯する。一方、定着ヒーター５３は、コンセント７２ｂから、サーバー部１２の電源コード７２を介して供給される電流により、点灯する。しかし、これには限定されない。
制御部１０３は、定着ヒーター５１を点灯し、定着ヒーター５２及び定着ヒーター５３を消灯してもよい。この場合、定着ヒーター５１は、コンセント７２ｂから、サーバー部１２の電源コード７２を介して供給される電流により、点灯する。また、コンセント７２ｂから、サーバー部１２の電源コード７２を介してＭＦＰ部１１の定着ヒーター以外の電気的負荷、例えば、操作パネルや作像部２８Ｙ、２８Ｍ、２８Ｃ、２８Ｋ等に対して、電流を供給してもよい。
【０１５１】
（１６）本発明に係る変形例としての冷蔵庫システム（情報処理装置）１０Ａについて図面を参照しながら説明する。
冷蔵庫システム１０Ａは、冷蔵庫（第２機器）１１Ａと、サーバー部（第１機器）１２Ａとが一体として構成される機器である。
冷蔵庫システム１０Ａは、家庭内に設置される。冷蔵庫１１Ａは、生鮮品等の食品を冷凍し、冷蔵するために用いられる。サーバー部１２Ａは、図示していない家庭内ＬＡＮを介して、家庭内に設置されているデジタル放送受信装置、記録媒体再生装置、照明装置、冷房装置、暖房装置等の家庭電化製品と接続され、これらの家庭電化製品における動作を制御する。また、サーバー部１２Ａは、外部から、家庭電化製品の動作に係るデータや制御プログラムを取得し、取得したデータや制御プログラムを家庭電化製品にインストールして、家庭電化製品を更新する。
【０１５２】
図８は、冷蔵庫システム１０Ａにおける電力系統等に係る詳細の構成を示す図である。
冷蔵庫１１Ａは、図８に示すように、冷却制御部３０１、コンプレッサー３１１、凝縮器３１２、毛細管３１３及び蒸発器３１４を備える。冷却制御部３０１は、ＡＣ−ＤＣコンバーター３０２、ＤＣ−ＡＣインバーター３０３及びモーター３０４を備えている。
コンプレッサー３１１は、冷媒ガスを圧縮する。凝縮器３１２は、高温・高圧となった冷媒ガスの熱を放出し、液化する。液化された冷媒は、毛細管３１３を通じて、蒸発器３１４に送られる。蒸発器３１４において、冷媒の圧力が急に下げられ、冷媒は気化して周囲から熱を奪って冷蔵庫１１Ａの庫内を冷却し、ガスとなった冷媒は、再びコンプレッサー３１１へ送られる。
【０１５３】
ＡＣ−ＤＣコンバーター３０２は、交流電流を直流電流に変換する。ＤＣ−ＡＣインバーター３０３は、交流電流を直流電流に変換する。モーター３０４は、直流電流により回転し、回転駆動力をコンプレッサー３１１に伝達する。
冷蔵庫１１Ａは、さらに、低圧電源ユニット（第２電源回路）１１１Ａ、ＤＣ電源分配回路（分配部）１１２Ａ、制御基板１００Ａ、操作パネル７０Ａ及び電源系統切替回路（第３切替部）１１３Ａを備えている。冷蔵庫１１Ａには、コンセント７１Ａｂから、プラグ７１Ａａ及び電源コード７１Ａを介して、電力が供給される。電源コード７１Ａを介して供給される電力は、電源系統切替回路１１３Ａを介して、冷却制御部３０１に供給される。また、電源コード７１Ａを介して供給される交流電流は、低圧電源ユニット１１１Ａにより、直流電流に変換され、ＤＣ電源分配回路１１２Ａを介して、サーバー部１２Ａ及び冷蔵庫１１Ａの各構成要素に供給される。
【０１５４】
制御基板１００Ａは、ＭＦＰ制御基板１００と同様の構成を有し、冷却制御部３０１を制御して、冷蔵庫１１Ａの庫内の温度が目標温度となるように、制御する。また、制御基板１００Ａは、冷蔵庫１１Ａにおけるその他の制御を行う。操作パネル７０Ａは、冷蔵庫１１Ａにおける状態を表示し、利用者からの操作を受け付ける。
低圧電源ユニット１１１Ａ、ＤＣ電源分配回路１１２Ａ及び電源系統切替回路１１３Ａは、それぞれ、上記の実施の形態のＭＦＰ部１１の低圧電源ユニット１１１、ＤＣ電源分配回路１１２及び電源系統切替回路１１３と同様の構成を有している。
【０１５５】
また、サーバー部１２Ａは、スイッチ（第１切替部）２１４Ａ、低圧電源ユニット（第１電源回路）２１１Ａ、電源系統切替回路２１２Ａ、無停電電源装置２１３Ａ及び上記のサービスを提供するとともに、サーバー部１２Ａを制御する制御装置２００Ａを備えている。
サーバー部１２Ａは、コンセント（第１外部電源）７２Ａｂから、プラグ７２Ａａ及び電源コード７２Ａを介して、電力が供給される。コンセント７２Ａｂから電源コード７２Ａを介して供給される電力は、スイッチ２１４Ａ、低圧電源ユニット２１１Ａ、電源系統切替回路２１２Ａ及び無停電電源装置２１３Ａを介して、制御装置２００Ａに対して供給される。
【０１５６】
スイッチ２１４Ａ、低圧電源ユニット２１１Ａ、電源系統切替回路２１２Ａ、無停電電源装置２１３Ａ及び制御装置２００Ａは、それぞれ、上記の実施の形態のサーバー部１２のスイッチ２１４、低圧電源ユニット２１１、電源系統切替回路２１２、無停電電源装置２１３及び制御装置２００と同様の構成を有している。
冷蔵庫システム１０Ａは、サーバー部１２Ａの低圧電源ユニット２１１Ａが正常に動作しない場合に、上記の実施の形態の画像形成システム１０と同様に動作する。
【０１５７】
低圧電源ユニット２１１Ａに故障が発生した場合、冷蔵庫１１Ａは、サーバー部１２Ａに対して、直流電流を供給する。サーバー部１２Ａは、冷蔵庫１１Ａから供給される直流電流により動作する。電源コード７１Ａを流れる電流が定格値を超える場合、冷蔵庫１１Ａは、電源コード７１Ａから供給される交流の電流に代えて、サーバー部１２Ａの電源コード７２Ａから交流の電流の供給を受け、供給された交流の電流により、冷却制御部３０１が動作する。
【０１５８】
プラグ７２Ａａが抜けている場合、冷蔵庫１１Ａは、サーバー部１２Ａに対して、直流電流を供給する。サーバー部１２Ａは、冷蔵庫１１Ａから供給される直流電流により動作する。電源コード７１Ａを流れる電流が定格値を超える場合、冷蔵庫１１Ａは、電源コード７１Ａを流れる電流が定格値を超えないように、冷却制御部３０１を制御して、庫内の目標温度を上昇させ、冷却制御部３０１において消費される電力を下げる。
【０１５９】
（変形例）
ここで、冷蔵庫システム１０Ａは、サーバー部１２Ａに代えて、デジタル放送受信記録装置（第１機器、図示していない）を備えているとしてもよい。冷蔵庫（第２機器）１１Ａと、デジタル放送受信記録装置とが一体として構成されている。
デジタル放送受信記録装置は、デジタル放送を受信し、受信したデジタル放送から番組を抽出し、抽出した番組を内蔵するハードディスクに記録する。デジタル放送受信記録装置は、家庭内ＬＡＮを介して、家庭内に設置されているデジタル放送再生装置と接続されている。デジタル放送受信記録装置は、デジタル放送再生装置からの依頼により、記録している番組をデジタル放送再生装置に送信し、デジタル放送再生装置は、番組を受信し、受信した番組を再生して音声及び映像として出力する。
【０１６０】
ここで、デジタル放送受信記録装置は、長期間にわたって、例えば、１カ月にわたって受信可能な全てのチャネルの全ての番組を内蔵するハードディスクに記録する。利用者がリアルタイムに放送される番組を見逃した場合であっても、デジタル放送受信記録装置は例えば、１カ月にわたって、受信可能な全てのチャネルの全ての番組を記録しているので利用者は、所望の番組を視聴することができる。
【０１６１】
デジタル放送受信記録装置は、長期間にわたって、稼働し続けることが必要であるのでスイッチ、低圧電源ユニット、電源系統切替回路及び無停電電源装置を備えている。ここで、スイッチ、低圧電源ユニット、電源系統切替回路及び無停電電源装置は、サーバー部１２Ａが備えるスイッチ２１４Ａ、低圧電源ユニット２１１Ａ、電源系統切替回路２１２Ａ及び無停電電源装置２１３Ａと同様の構成を有している。デジタル放送受信記録装置はコンセントから、プラグ及び電源コードを介して、電力の供給を受ける。
【０１６２】
デジタル放送受信記録装置の低圧電源ユニットに故障が発生した場合、及び、デジタル放送受信記録装置のプラグが抜けている場合、冷蔵庫１１Ａ及びデジタル放送受信記録装置は、冷蔵庫システム１０Ａと同様に動作する。
（１７）上記の実施の形態において、ＭＦＰ部１１は、定着ヒーター５２、５３を備えている。定着ヒーター５２、５３は、それぞれ、スイッチ１１５、１１６に接続されている。しかし、この構成には、限定されない。
【０１６３】
ＭＦＰ部１１は、定着ヒーター５２、５３及びスイッチ１１５、１１６に代えて、定着ヒーター５２と同様の３００Ｗの定着ヒーター及びスイッチを備えているとしてもよい。このスイッチは、ＭＦＰ制御基板１００の制御により、定着ヒーターと電源コード７１との接続／非接続、及び、定着ヒーターと電源コード１１８との接続／非接続を切り替える。
（１８）上記の実施の形態において、低圧電源ユニット２１１は、低圧電源ユニット２１１における故障を検出する第二検出部２１１ｃを備えるとしている。しかし、この構成には、限定されない。
【０１６４】
低圧電源ユニット２１１が第二検出部２１１ｃを備える代わりに、電源系統切替回路２１２が、低圧電源ユニット２１１における故障を検出する故障検出部を備える、としてもよい。
（１９）上記の実施の形態において、制御装置２００が電源系統切替回路２１２のスイッチ２１５、２１６のオンとオフを切り替えるとしている。しかし、この構成には、限定されない。
【０１６５】
無停電電源装置２１３が、電源系統切替回路２１２のスイッチ２１５、２１６のオンとオフを切り替える、としてもよい。
（２０）上記の実施の形態において、図５のステップＳ１０７〜ステップＳ１１１に示すように、総電流が１５Ａ以上であると判断する場合、制御部１０３は、サーバー部１２に対して、サーバー部１２からＭＦＰ部１１に対して電力を供給するよう依頼し、サーバー部１２からＭＦＰ部１１に対して、電源コード１１８を介して、電力が供給される。このとき、制御部１０３は、サーバー部１２から開始信号を受信し、開始信号を受信すると制御部１０３は、定着ヒーターを切り替える、としている。
【０１６６】
しかし、この構成には、限定されない。
例えば、ＭＦＰ部１１において、複数のプリントジョブの実行が連続して実行されている場合、サーバー部１２から開始信号を受信した後、制御部１０３は、プリントジョブとプリントジョブの切れ目において、定着ヒーターを切り替える、としてもよい。
（２１）本発明は、上記に示す方法であるとしてもよい。また、これらの方法をコンピューターにより実現するコンピュータープログラムであるとしてもよい。ここで、コンピュータープログラムは、所定の機能を達成するために、コンピューターに対する指令を示す命令コードが複数個組み合わされて構成されたものである。
【０１６７】
また、本発明は、コンピュータープログラムをコンピューター読み取り可能な記録媒体例えば、フレキシブルディスク、ハードディスク、光ディスク、半導体メモリなどに記録したものとしてもよい。また、本発明は、これらの記録媒体に記録されているコンピュータープログラムであるとしてもよい。
また、本発明は、マイクロプロセッサとメモリとを備えたコンピューターシステムであって、メモリは、コンピュータープログラムを記憶しており、マイクロプロセッサは、コンピュータープログラムに従って動作するとしてもよい。
【０１６８】
（２２）上記実施の形態及び上記変形例をそれぞれ組み合わせるとしてもよい。
【産業上の利用可能性】
【０１６９】
本発明に係る情報処理装置は、第一機器の電源ユニットが正常に電力を出力しない場合であっても、第一機器及び第二機器の動作を継続させることができる、という効果を奏し電気的負荷に対して安定的に電力を供給することができる技術として有用である。
【符号の説明】
【０１７０】
１０    画像形成システム
１１    ＭＦＰ部
１２    サーバー部
１３    イメージリーダー部
１４    プリンター部
１５    給紙部
５０    定着部
５１、５２、５３    定着ヒーター
７１    電源コード
７１ａ  プラグ
７１ｂ  コンセント
７２    電源コード
７２ａ  プラグ
７２ｂ  コンセント
１００    ＭＦＰ制御基板
１０１    判断部
１０２    演算部
１０３    制御部
１０４    通信部
１０５    記憶部
１１１    低圧電源ユニット
１１２    ＤＣ電源分配回路
１１３    電源系統切替回路
１１４、１１５、１１６    スイッチ
１１７、１１８    電源コード
１１９    ＬＡＮケーブル
２００    制御装置
２１１    低圧電源ユニット
２１１ａ  第一検出部
２１１ｂ  変換回路
２１１ｃ  第二検出部
２１２    電源系統切替回路
２１３    無停電電源装置
２１３ａ  電圧検知部
２１３ｂ  電力貯蔵部
２１４、２１５、２１６    スイッチ
【図１】
2018195142.tif 000003
【図２】
2018195142.tif 000004
【図３】
2018195142.tif 000005
【図４】
2018195142.tif 000006
【図５】
2018195142.tif 000007
【図６】
2018195142.tif 000008
【図７】
2018195142.tif 000009
【図８】
2018195142.tif 000010